(57)【要約】意図された際に、ユーザ装置(UE)のユニバーサル加入者識別モジュール(USIM)部で加入隠蔽識別子(SUC)が計算されることを確実にするために、SUCI計算インジケータがUSIMでSUCIを計算すべきであることを示す値に設定されている場合、ネットワークノードは、UEのモバイル装置(ME)部に未知な独自情報を、SUCIの計算に必要なものとして設定する。SUCI計算インジケータがMEでSUCIを計算すべきであることを示す値に設定されている場合にのみ、USIMは、UEのME部でのSUCIの計算を容易にする。SUCI計算インジケータがUSIMでSUCIを計算すべきであることを示す値に設定されている場合に、ME部は、ローカル保存されている、SUCIの計算に必要な情報を削除する。【選択図】図２
2021520079.tif 000002
【特許請求の範囲】
【請求項１】
意図された際に、ユーザ装置(UE)のユニバーサル加入者識別モジュール(USIM)部で加入隠蔽識別子(SUCI)が計算されることを確実にするための、ネットワークノードの動作方法であって、
SUCI計算インジケータが、前記USIMで前記SUCIを計算すべきであることを示す値に設定されている場合に、
前記UEのモバイル装置(ME)部に未知で、前記SUCIの計算に必要な独自情報を設定することを有する、方法。
【請求項２】
前記独自情報が、独自暗号化方式識別子とSUCI計算暗号化方式との関係を含む、請求項１に記載の方法。
【請求項３】
前記SUCI計算暗号化方式が標準化されている、請求項２に記載の方法。
【請求項４】
前記独自情報が、独自暗号化方式を含む、請求項１または２に記載の方法。
【請求項５】
前記SUCI計算インジケータが、前記MEで前記SUCIを計算すべきであることを示す値から、前記USIMで前記SUCIを計算すべきであることを示す値に変更された場合に、ホームネットワーク(HN)の既存の公開鍵を変更することをさらに有する、請求項１から４のいずれか１項に記載の方法。
【請求項６】
前記SUCI計算インジケータが、前記MEで前記SUCIを計算すべきであることを示す前記値から、前記USIMで前記SUCIを計算すべきであることを示す前記値に変更された場合に、前記HNの前記公開鍵の識別子を変更することをさらに有する、請求項５に記載の方法。
【請求項７】
意図された際に、ユーザ装置(UE)のユニバーサル加入者識別モジュール(USIM)部で加入隠蔽識別子(SUCI)が計算されることを確実にするための、ネットワークノードの動作方法であって、SUCI計算インジケータが、前記UEのモバイル装置(ME)部で前記SUCIを計算すべきであることを示す値から、前記USIMで前記SUCIを計算すべきであることを示す値に変更された場合に、ホームネットワーク(HN)の既存の公開鍵を変更することを有する、方法。
【請求項８】
前記SUCI計算インジケータが、前記MEで前記SUCIを計算すべきであることを示す前記値から、前記USIMで前記SUCIを計算すべきであることを示す前記値に変更された場合に、前記HNの前記公開鍵の識別子を変更することをさらに有する、請求項７に記載の方法。
【請求項９】
意図された際に、ユーザ装置(UE)のユニバーサル加入者識別モジュール(USIM)部で加入隠蔽識別子(SUCI)が計算されることを確実にするための、前記USIMの動作方法であって、
SUCI計算インジケータが、前記UEのモバイル装置(ME)部で前記SUCIを計算すべきであることを示す値に設定されている場合にのみ、前記MEにおける前記SUCIの計算を容易にすることを有する、方法。
【請求項１０】
前記SUCI計算インジケータが前記MEで前記SUCIを計算すべきであることを示す値に設定されている場合にのみ、前記SUCIの計算に必要な情報を前記MEに提供することを有する、請求項９に記載の方法。
【請求項１１】
請求項１０に記載の方法であって、
前記SUCI計算インジケータが前記MEで前記SUCIを計算すべきであることを示す値が設定されている場合に、前記MEからの前記SUCIの計算に必要な情報の要求に応答して、前記情報を前記MEに提供することを有する、方法。
【請求項１２】
請求項１１に記載の方法であって、さらに、
前記MEからの前記要求に応答して、前記SUCI計算インジケータの前記値を前記MEに返すことを有する、方法。
【請求項１３】
請求項１０に記載の方法であって、
SUCI計算インジケータが前記MEで前記SUCIを計算すべきであることを示す値に設定されている場合、前記MEからの前記SUCIの要求に応答して、前記要求を拒否することを有する、方法。
【請求項１４】
請求項１３に記載の方法であって、さらに、
前記MEからの前記SUCIの前記要求に応答して、前記SUCIの計算に必要な前記情報を前記MEに返すことを有する、方法。
【請求項１５】
請求項１３または１４に記載の方法であって、さらに、
前記MEからの前記SUCIの前記要求に応答して、前記SUCI計算インジケータの前記値を前記MEに返すことを有する、方法。
【請求項１６】
前記SUCIの計算に必要な前記情報が、ホームネットワーク(HN)の公開鍵を含む、請求項１０から１５のいずれか１項に記載の方法。
【請求項１７】
前記SUCIの計算に必要な前記情報が、前記SUCIの前記計算に用いるべき暗号化方式を特定する情報を含む、請求項１０から１５のいずれか１項に記載の方法。
【請求項１８】
請求項９または１０に記載の方法であって、
SUCI計算インジケータが前記USIMで前記SUCIを計算すべきであることを示す値に設定されている場合、前記MEからの前記SUCIの計算に必要な情報の要求に応答して、前記MEからの前記SUCIの計算に必要な情報の前記要求を拒否することを有する、方法。
【請求項１９】
請求項１８に記載の方法であって、さらに、
前記SUCI計算インジケータが前記USIMで前記SUCIを計算すべきであることを示す値に設定されている場合、前記MEからの前記SUCIの計算に必要な情報の要求に応答して、前記SUCI計算インジケータの前記値を前記MEに提供することをさらに有する、方法。
【請求項２０】
請求項９または１０に記載の方法であって、
SUCI計算インジケータが前記USIMで前記SUCIを計算すべきであることを示す値に設定されている場合、前記MEからの前記SUCIの要求に応答して、前記SUCIを計算することと、前記SUCIを前記MEに提供することをさらに有する、方法。
【請求項２１】
請求項２０に記載の方法であって、さらに、
前記MEからの前記要求に応答して、前記SUCI計算インジケータの前記値を前記MEに返すことを有する、方法。
【請求項２２】
前記SUCI計算インジケータの値が変化した場合に、前記MEに通知することをさらに有する、請求項９から２１のいずれか１項に記載の方法。
【請求項２３】
意図された際に、ユーザ装置(UE)のユニバーサル加入者識別モジュール(USIM)部で加入隠蔽識別子(SUCI)が計算されることを確実にするための、前記USIMの動作方法であって、
SUCI計算インジケータが、前記USIMで前記SUCIを計算すべきであることを示す値に設定されている場合に、
ネットワークノードから、前記UEのモバイル装置(ME)部に未知であり、前記SUCIの計算に必要な独自情報を受信することを有する、方法。
【請求項２４】
前記独自情報が、独自暗号化方式識別子とSUCI計算暗号化方式との関係を含む、請求項２３に記載の方法。
【請求項２５】
前記SUCI計算暗号化方式が標準化されている、請求項２４に記載の方法。
【請求項２６】
前記独自情報が、独自暗号化方式を含む、請求項２３から２５のいずれか１項に記載の方法。
【請求項２７】
前記SUCI計算インジケータが、前記MEで前記SUCIを計算すべきであることを示す値から、前記USIMで前記SUCIを計算すべきであることを示す値に変更された場合に、ホームネットワーク(HN)から、前記HNの変更された公開鍵の通知を受信することをさらに有する、請求項２３から２６のいずれか１項に記載の方法。
【請求項２８】
前記SUCI計算インジケータが、前記MEで前記SUCIを計算すべきであることを示す値から、前記USIMで前記SUCIを計算すべきであることを示す値に変更された場合に、前記HNから、前記HNの前記公開鍵の変更された識別子の通知を受信することをさらに有する、請求項２７に記載の方法。
【請求項２９】
意図された際に、ユーザ装置(UE)のユニバーサル加入者識別モジュール(USIM)部で加入隠蔽識別子(SUCI)が計算されることを確実にするための、前記USIMの動作方法であって、SUCI計算インジケータが、MEで前記SUCIを計算すべきであることを示す値から、前記USIMで前記SUCIを計算すべきであることを示す値に変更された場合に、ホームネットワーク(HN)から、前記HNの変更された公開鍵の通知を受信することを有する、方法。
【請求項３０】
前記SUCI計算インジケータが、前記MEで前記SUCIを計算すべきであることを示す値から、前記USIMで前記SUCIを計算すべきであることを示す値に変更された場合に、前記HNから、前記HNの前記公開鍵の変更された識別子の通知を受信することをさらに有する、請求項２９に記載の方法。
【請求項３１】
意図された際に、ユーザ装置(UE)のユニバーサル加入者識別モジュール(USIM)部で加入隠蔽識別子(SUCI)が計算されることを確実にするための、前記UEのモバイル装置(ME)部の動作方法であって、
SUCI計算インジケータが前記USIMで前記SUCIを計算すべきであることを示す値に設定されている場合に、ローカル保存されている、前記SUCIの計算に必要な情報を削除することを有する、方法。
【請求項３２】
前記SUCI計算インジケータの値をチェックすることと、前記SUCI計算インジケータが前記MEで前記SUCIを計算すべきであることを示す値に設定されている場合にのみ前記SUCIを計算することとをさらに有する、請求項３１に記載の方法。
【請求項３３】
前記SUCIの計算に必要な前記情報が、前記UEのホームネットワーク(HN)の公開鍵を含む、請求項３１または３２に記載の方法。
【請求項３４】
前記SUCIの計算に必要な前記情報が、前記SUCIの前記計算に用いるべき暗号化方式を特定する情報を含む、請求項３１または３２に記載の方法。
【請求項３５】
ネットワークノードであって、
請求項１から８のいずれか１項に記載のステップのいずれかを実行するように構成された処理回路と、
無線機器に電力を供給するように構成された電源回路と、を有する、ネットワークノード。
【請求項３６】
ユーザ装置(UE)で用いるためのユニバーサル加入者識別モジュール(USIM)であって、
請求項９から３０のいずれか１項に記載のステップのいずれかを実行するように構成された処理回路と、
前記USIMを前記UEのモバイル装置(ME)部に接続するように構成された回路と、を有する、USIM。
【請求項３７】
請求項３６に記載のユニバーサル加入者識別モジュール(USIM)を有する、ユーザ装置(UE)。
【請求項３８】
ユーザ装置(UE)のモバイル装置(ME)部であって、
請求項３１から３４のいずれか１項に記載のステップのいずれかを実行するように構成された処理回路と、
前記MEをユニバーサル加入者識別モジュール(USIM)に接続するように構成された回路と、を有する、ME。
【請求項３９】
請求項３８に記載のモバイル装置(ME)部を有する、ユーザ装置(UE)。
【発明の詳細な説明】
【技術分野】
【０００１】
本開示は識別子の計算に関する。
【背景技術】
【０００２】
一般的に、本明細書で使用されるすべての用語は、それが使用される文脈において異なる意味が明らかに与えられている場合および／または暗示されている場合を除き、関連する技術分野における通常の意味に従って解釈されるものとする。明示的に別段の記載がない限り、要素、装置、構成要素、手段、ステップなどに関するすべての言及は、それら要素、装置、構成要素、手段、ステップなどの少なくとも１つのインスタンスに関する言及として非限定的に解釈されるものとする。本明細書に開示されたいかなる方法のステップも、あるステップが他のステップに続くか先行するように明示的に記述されている場合、および／またはあるステップが他のステップに続くか先行しなければならないことが暗示される場合を除き、開示された通りの順序で実行される必要はない。本明細書に開示されたいかなる実施形態のいかなる機能も、適切でありさえすれば他のいかなる実施形態にも適用されうる。同様に、いかなる実施形態のいかなる利点も、他のいかなる実施形態にも該当しうる。逆もまた同様である。包含される実施形態の他の目的、特徴および利点は、以下の説明から明らかになるであろう。
【０００３】
5Gは、3GPPと呼ばれる規格策定団体によって開発された次世代のモバイルネットワークである。それ以前の世代のモバイルネットワークは、4G/LTE、3G/UMTS、2G/GSMと呼ばれていた。5Gネットワークは、いわゆるモバイルネットワーク事業者（MNO）によって維持され、かつそのサービスが提供される。MNOは、MCC (Mobile Country Code)とMNC (Mobile Network Code)の2種類のコードによって互いに区別される。特定の通信事業者が提供する特定の5Gネットワークを利用するためには、ユーザはその通信事業者との間で一種の契約関係を持つ必要があり、その関係は一般的に加入と呼ばれている。ユーザが特定の移動体通信事業者に加入していない場合（例えば、いわゆるローミングの場合）、その関係は、ユーザが加入している移動体通信事業者、すなわちユーザのホームネットワーク（HN）と、ユーザがサービスを受ける移動体通信事業者、すなわち訪問先ネットワーク（VN）との間のローミング契約により実現される。移動体通信事業者の5Gネットワーク内の各加入は、SUPI (Subscription Permanent Identifier)と呼ばれる固有な長期識別子によって識別される。ユーザは、ユーザ装置(UE)として知られる無線機器を用い、5Gネットワーク無線に無線アクセスする。サービスを提供する前に、5Gネットワークは、UEの背後にあるユーザ、すなわちユーザの加入を識別する必要がある。この識別の目的のために、前世代の移動体ネットワーク（4G、3G、および2G）のUEは、ユーザの固有長期識別子を無線で送信するために使用されていた。これは、メッセージを傍受したり、無線中間者(man-in-the-middle)として振る舞ったりすることが可能な無認可エンティティユーザが、ユーザを追跡したり特定したりする可能性があるため、プライバシーの問題と考えられていた。しかし、5Gネットワークでは、MNOが、固有長期識別子（すなわち、SUPI）が無線で見えないように、より良いプライバシーをユーザに提供する能力を有している。この能力は、UEがSUPIを送信する代わりに、加入隠蔽識別子 (Subscription Concealed Identifier, SUCI)と呼ばれる隠蔽識別子を計算して無線で送信する仕組みによるものである。MNOは、SUCIの計算に必要な全ての情報をUEが利用できるようにする。
【０００４】
SUCIの計算は、UEがSUPIを暗号化することを意味している。これは、UEと5Gネットワークとの間でSUCIが無線で転送される前に行われる。暗号化は非対称型であり、HNの公開鍵（HN公開鍵と表記）を用いる。HNは、HN公開鍵をUEが利用できるようにする。SUCI を計算するために SUPI の非対称暗号化を行う方法は複数考えられ、それらの方法を暗号化方式と表記する。暗号化方式の例としては、ElGamal暗号化方式、ECIES (Elliptic Curve Integrated Encryption Scheme)、RSA暗号化などがある。また、同じ方式の複数の変形物も考えられ、例えば、SECP256R1、SECP384R1、およびCURVE25519のように、ECIES方式において異なる楕円曲線が使用されうる。これらの暗号化方式は（例えば3GPPによって）標準化されるかもしれないし、（各MNOによって独自に決定された）独自のものであるかもしれない。標準化された暗号化方式の利点は、それらの暗号化方式がパブリックに利用可能もしくは知られていることであり、それにより相互運用性が向上する。例えばすべてのUEベンダが標準化された暗号化方式をサポートするかもしれない。一方、独自暗号化方式の利点は、各MNOが自身の動作効率、セキュリティおよびプライバシーの提供、または規制要件にに適した任意の暗号化方式を選択して利用できることである。
【０００５】
さらなる詳細に入る前に、UEの技術的な側面をいくつか理解しておくことが重要である。UEは、UEのユーザがネットワークによって提供されるサービスにアクセスできるようにするいくつかの部分または構成要素で構成されている。我々は主に上位レベルの２つの部分を区別することに注目しており、それは本明細書の残りの部分を理解するのに役立つであろう。これら２つの部分は、ユニバーサル加入者識別モジュール(USIM)とモバイル装置(ME)である。
【０００６】
まず、USIM部は、ユーザの加入の識別子および認証の提供、セキュリティキーの生成などの様々な機能を提供する特別なソフトウェアアプリケーションである。USIMは、例えばユニバーサルICカード(UICC)である、耐タンパー性を有するセキュアなハードウェア構成要素で稼働する。次に、ME部は、ネットワークとの通信に必要なハードウェアとソフトウェアとを有する無線機器を意味する。MEは、携帯電話やスマートフォンとして広く知られている。
【０００７】
上述したHN公開鍵は、他の情報、すなわち暗号化方式のパラメータとともに、MNOによってUEのUSIM部に格納されている。この格納処理は、一般にプロビジョニングと呼ばれている。OTA（Over-the-air）アップデートは、プロビジョニングの一例である。
【０００８】
SUCIを計算するために必要な情報がUEのUSIM部に格納もしくはプロビジョニングされるが、実際にSUCIを計算（すなわち、暗号化の計算または実施）を行うことのできる部分は、USIM部またはME部の２つ存在する。
【０００９】
現在のところ、いくつかの課題が存在している。HNは、自身のSIMデプロイメントとUSIMベンダーを厳重に管理するとともに、強く信頼している。HNは、USIMを通じて、ユーザのプライバシー改善の提供を管理する。これは、SUCIの計算に使用される情報、例えばHN公開鍵および暗号化方式パラメータをUSIMに提供することによって行われる。しかし、SUCIの計算は、USIMだけでなく、UEのME部でも実行することができる。MEのデプロイメントやMEベンダーをHNがほとんど管理していないため、MEではSUCIの計算がHNの管理下にない。つまり、HNは自身のユーザに対するプライバシー改善の提供を厳しく管理していない。USIMにせよMEにせよ、意図した場所で確実にSUCIが計算されるようにすることは、HNにとって困難である。さらに、これは、例えばUEの誤った部分でSUCIが意図せずに計算されてしまうなど、セキュリティやプライバシーに影響を及ぼす可能性がある。これは望ましくなく、ユーザのプライバシーの一般的な利益を害する。
【発明の概要】
【００１０】
本開示のある側面およびそれらの実施形態は、SUCIの計算が、USIMまたはMEのうち、HNが意図するところで行われることを確実にするソリューションを提供することができる。
【００１１】
本明細書には、本明細書に開示された１つ以上の課題に対処する様々な実施形態が提案されている。
【００１２】
ある側面によれば、意図された際に、ユーザ装置(UE)のユニバーサル加入者識別モジュール(USIM)部で加入隠蔽識別子(SUCI)が計算されることを確実にするための方法が提供され、この方法は、
SUCI計算インジケータが、USIMでSUCIを計算すべきであることを示す値に設定されている場合に、
SUCIの計算のために必要な独自情報を設定することを有し、UEのモバイル装置(ME)部はSUCIの計算に当該独自情報をどのように使用するかを知らない。
【００１３】
ある側面によれば、意図された際に、ユーザ装置(UE)のユニバーサル加入者識別モジュール(USIM)部で加入隠蔽識別子(SUCI)が計算されることを確実にするための、ネットワークノードの動作方法が提供され、この方法は、SUCI計算インジケータが、MEでSUCIを計算すべきであることを示す値から、USIMでSUCIを計算すべきであることを示す値に変更された場合に、ホームネットワーク(HN)の既存の公開鍵を変更することを有する。
【００１４】
ある側面によれば、意図された際に、ユーザ装置(UE)のユニバーサル加入者識別モジュール(USIM)部で加入隠蔽識別子(SUCI)が計算されることを確実にするための、USIMの動作方法が提供され、この方法が、
SUCI計算インジケータが、MEでSUCIを計算すべきであることを示す値に設定されている場合にのみ、UEのモバイル装置(ME)部におけるSUCIの計算を容易にすることを有する。
【００１５】
ある側面によれば、意図された際に、ユーザ装置(UE)のユニバーサル加入者識別モジュール(USIM)部で加入隠蔽識別子(SUCI)が計算されることを確実にするための、USIMの動作方法が提供され、この方法は、
SUCI計算インジケータが、USIMでSUCIを計算すべきであることを示す値に設定されている場合に、
SUCIの計算のために必要であって、かつUEのモバイル装置(ME)部がSUCIの計算にそれをどのように使用するかを知らない独自情報を、ネットワークノードから受信することを有する。
【００１６】
ある側面によれば、意図された際に、ユーザ装置(UE)のユニバーサル加入者識別モジュール(USIM)部で加入隠蔽識別子(SUCI)が計算されることを確実にするための、USIMの動作方法が提供され、この方法は、SUCI計算インジケータが、MEでSUCIを計算すべきであることを示す値から、USIMでSUCIを計算すべきであることを示す値に変更された場合に、ホームネットワーク(HN)から、HNの変更された公開鍵の通知を受信することを有する。
【００１７】
ある側面によれば、意図された際に、ユーザ装置(UE)のユニバーサル加入者識別モジュール(USIM)部で加入隠蔽識別子(SUCI)が計算されることを確実にするための、UEのモバイル装置(ME)部の動作方法が提供され、この方法は、
SUCI計算インジケータが、USIMでSUCIを計算すべきであることを示す値に設定されている場合に、ローカル保存されている、SUCIの計算に必要な情報を削除することを有する。
【００１８】
ある側面によれば、ユーザ装置(UE)のモバイル装置(ME)部の動作方法が提供され、この方法は、
SUCI計算インジケータをチェックすることと、SUCI計算インジケータが、MEでSUCIを計算すべきであることを示す値に設定されている場合にのみ、SUCIを計算することとを有する。
【００１９】
別の実施形態によれば、上述の実施形態に係る方法を適切なプロセッサに実行させるためのコンピュータプログラムが提供される。
【００２０】
さらに、それぞれのコンピュータプログラムを含むコンピュータプログラム製品が提供される。例えば、コンピュータプログラム製品は、コンピュータプログラムを格納したコンピュータ可読媒体を有しうる。コンピュータ可読媒体は、有形媒体を含みうる。
【００２１】
特定の実施形態は、以下の技術的利点のうちの１つ以上を提供しうる。例えば、いくつかの解決策では、UEのどの部分が、すなわちUSIMまたはMEが、SUCIを計算するかをHNが効果的に制御することを確実にする。さらに、いくつかの解決策は、UEのどの部分で、すなわちUSIMまたはMEでSUCI計算が実行されているかを認識することを可能にする。その結果、HNはユーザに提供するより良いプライバシーの有効性について信頼を得る。さらに、いくつかの解決策は、UEの誤った部分でSUCIが意図せずに計算されないことを確実にする。これらのすべては、より良いプライバシーの提供数を促進し、したがって、ユーザのプライバシーの一般的な利点を向上させる。
【図面の簡単な説明】
【００２２】
以下、本明細書で想定されるいくつかの実施形態について、添付の図面を参照して詳細に説明する。しかし、他の実施形態は本明細書に開示された主題の範囲内に含まれ、開示された主題は、本明細書に記載された実施形態のみに限定されると解釈されるべきではなく、むしろ、これらの実施形態は、当業者に主題の範囲を伝えるための例示として提供されるに過ぎない。
【００２３】
【図１】図１は、UEのME部とUSIM部とを説明するブロック模式図である。
【図２】図２は、第１の処理を示す信号図である。
【図３】図３は、別の処理を示す信号図である。
【図４】図４は、別の処理を示す信号図である。
【図５】図５は、別の処理を示す信号図である。
【図６】図６は、ネットワークノードおよび無線機器を含む通信ネットワークを示す図である。
【図７】図７は、無線機器の形態をより詳細に示す図である。
【図８】図８は、ネットワークノードの形態をより詳細に示す図である。
【図９】図９は、第１の方法を示すフローチャートである。
【図１０】図１０は、第１の方法を実行するためのネットワークノードの形態を示す図である。
【図１１】図１１は、第２の方法を示すフローチャートである。
【図１２】図１２は、第２の方法を実行するためのネットワークノードの形態を示す図である。
【図１３】図１３は、第３の方法を示すフローチャートである。
【図１４】図１４は、第３の方法を実行するための、ユーザ装置のユニバーサル加入者識別モジュールの形態を示す図である。
【図１５】図１５は、第３の方法を示すフローチャートである。
【図１６】図１６は、第４の方法を実行するための、ユーザ装置のユニバーサル加入者識別モジュールの形態を示す図である。
【図１７】図１７は、第４の方法を示すフローチャートである。
【図１８】図１８は、第５の方法を実行するための、ユーザ装置のユニバーサル加入者識別モジュールの形態を示す図である。
【図１９】図１９は、第６の方法を示すフローチャートである。
【図２０】図２０は、第６の方法を実行するための、ユーザ装置のモバイル装置(ME)の形態を示す図である。
【発明を実施するための形態】
【００２４】
図１は、ユーザ装置UEを示している。UEは、UEのユーザがネットワークによって提供されるサービスにアクセスすることを可能にする複数の部分または構成要素から構成されている。本明細書において我々は、上位レベルの２つの部分、すなわち、ユニバーサル加入者識別モジュール(USIM)１１０と、モバイル装置(ME)１２０とを区別することに主に注目する。図１は、UEのこれらの部分の上位レベルでの区別を示す図である。
【００２５】
まず、USIM部は、ユーザの加入の識別子および認証の提供、セキュリティキーの生成などの様々な機能を提供する特別なソフトウェアアプリケーションである。USIMは、例えばユニバーサルICカード(UICC)である、耐タンパー性を有するセキュアなハードウェア構成要素で稼働する。次に、ME部は、ネットワークとの通信に必要なハードウェアとソフトウェアとを有する無線機器を意味する。MEは、例えば携帯電話もしくはスマートフォンであってよく、USIMを実行するUICCが挿入されているときにネットワークサービスを得ることができる。
【００２６】
上述したHN公開鍵は、他の情報、すなわち暗号化方式のパラメータとともに、MNOによってUEのUSIM部に格納されている。この格納処理は、一般にプロビジョニングと呼ばれている。OTA（Over-the-air）アップデートは、プロビジョニングの一例である。
【００２７】
SUCIを計算するために必要な情報がUEのUSIM部に格納もしくはプロビジョニングされるが、実際にSUCIを計算（すなわち、暗号化の計算または実施）を行うことのできる部分は、USIM部またはME部の２つ存在する。
【００２８】
前述したように、UEのUSIM部とME部の両方がSUCIを計算することを許可されているため、USIMにせよMEにせよ、意図した場所で確実にSUCIが計算されるようにすることは、HNにとって困難である。
【００２９】
一つの潜在的な解決策は、指示(indication)を利用することである。SUCI計算インジケータと表記される指示は、HNによってUSIM内にプロビジョニングされ、UEのどの部分がSUCIを計算するかを決定する。この指示は値（例えば「USIMで計算」または「MEで計算」）を有してもよい。MEは、USIMからSUCI計算インジケータの値を読み取り，読み取り値に応じて，USIMにSUCIの計算を依頼する（値が「USIMで計算」の場合）か、自身でSUCIを計算する（値が「MEで計算」の場合）。
【００３０】
しかしながら、SUCI計算インジケータを用いる上述の解決策は、それだけでは効果がない。なぜなら、この解決策では、MEがSUCI計算をどこで行うかの決定を制御しているからである。HNによって「USIMで計算」の値を有するSUCI計算インジケータがプロビジョニングされているにもかかわらず、（不完全な実装や悪意によって）ME自身がSUCIを計算するという不正を防ぐことはできない。どの（MEを有する）UEを購入して使用するかを選択するのはユーザであることに留意すべきである。したがって、どのMEを使用するかを決めるのはユーザの選択であってHNの選択ではない。HNがすべてのMEを監査して検証することは現実的ではないし、動作が不適切なMEをHNが更新することもできない。UEが安価になり、十分なテストなしに大量生産されるようになると、UEのME部の動作が不適切である可能性が高くなり、つまりはこれら動作が不適切なMEは不適切かつ3GPP規格に準拠しない動作を行うであろうことを意味する。先に述べたとおり、このような不適切な動作は、MNがUEのUSIM部でSUCIを計算することを選択していたにもかかわらず、MEがSUCI計算することにつながる可能性がある。実際のHN制御の欠如はそれ自体が問題であるが、この問題は、動作が不適切なMEが、SUCI計算そのもの、すなわち暗号化方式を誤って実装した場合により明らかになり、ユーザのプライバシーが危うくなる恐れがある。さらに悪いことに、不適切に実装された暗号化方式は相互運用性の問題につながらないかもしれない（例えば、計算されたSUCIは技術的には有効だが、基礎となる乱数の生成が不十分な場合）ので、そのような不適切な実装は気づかれることなく、長い間ユーザのプライバシーを危険にさらすことになるかもしれない。
【００３１】
以下では、上述したような問題点を緩和する方法について説明する。例えばHNの公開鍵であるSUCIの計算に必要な情報、またはSUCIの計算に用いるべき暗号方式を特定する情報を条件付きで提供することにより、USIMがMEでのSUCI計算を条件付でのみ容易にすることを提案する。例えば、USIMは、SUCI計算インジケータの値が「USIMで計算」の場合、HN公開鍵または暗号化方式識別子をMEに提供しないようにすることができる。USIMは、SUCI計算インジケータの値が「MEで計算」の場合にのみ、HN公開鍵または暗号化方式識別子をMEに提供するであろう。このようにすることで、SUCI計算インジケータの値が「USIMで計算」の場合、MEはSUCIの計算に必要な情報を持たなくなるであろう。USIMがSUCIの計算に必要な情報を格納する場所であることに留意すべきである。この解決策では、USIM自体がSUCI計算インジケータの値に応じてSUCI計算を行うべきかどうかを決定する。SUCI計算インジケータの値が「USIMで計算」の場合、USIMは自身でSUCIを計算し、計算されたSUCIのみをMEに提供するであろう。SUCI計算インジケータの値が「MEで計算」の場合、USIMはHN公開鍵およびSUCI計算に必要なその他の情報をMEに提供するであろう。
【００３２】
意図した手順を例示のために図２、図３、図４、図５に示す。
【００３３】
図２は、MEがUSIMにメッセージ２１０を送信し、MEがSUCIを計算可能になるためのSUCI計算情報を要求する状況を示している。しかし、USIMは、自身がSUCIを計算するように設定されていること、すなわち、SUCI計算インジケータの値が「USIMで計算」であることを確認する。そしてUSIMは、SUCI計算情報の要求を拒否するメッセージ２２０を送信する。
【００３４】
図３は、MEがUSIMにメッセージ３１０を送信し、MEがSUCIを計算可能になるためのSUCI計算情報を要求する状況を示している。このケースでは、USIMは、SUCIの計算がMEで実行可能であること、すなわち、SUCI計算インジケータの値が「MEで計算」であることを確認する。そしてUSIMは、SUCI計算情報３２０を送信することによって要求に応答する。
【００３５】
図４は、MEがUSIMにメッセージ４１０を送信し、SUCIの値を要求する状況を示している。USIMは、自身がSUCIを計算するように設定されていること、すなわち、SUCI計算インジケータの値が「USIMで計算」であることを確認する。そのため、USIMは、SUCIを計算し、応答メッセージ４２０でSUCIをMEに送信する。
【００３６】
図５は、MEがUSIMにメッセージ５１０を送信し、SUCIの値を要求する状況を示している。しかし、USIMは、SUCIの計算がMEで実行可能であること、すなわち、SUCI計算インジケータの値が「MEで計算」であることを確認する。そしてUSIMは、SUCIの要求を拒否するメッセージ５２０を送信することにより、要求に応答する。
【００３７】
なお、SUCI計算インジケータの値が「MEで計算」である場合、MEは、図５に示す以外の方法によってUSIMでのSUCI計算を起動しないようにされてもよい。MEは例えば、エラーを返したり、拒否メッセージの代わりにSUCI計算に必要な情報（SUCI計算情報）を返したりするように、SUCI計算用モジュール（すなわち暗号方式モジュール）を動的にUSIMから削除したり、USIM内のSUCI計算用モジュールを動的に変更したりすることができる。何らかの意図的に設計されまたは許容された設定またははポリシによっては、SUCI計算インジケータの値が「MEで計算」であっても、MEから要求された場合には、USIMもまたSUCIを計算することができる。
【００３８】
また、USIMが少なくともSUCI計算インジケータの値を常にMEに提供しうることもまた、我々の教示である。図２、図３、図４、および図５を参照し、記載されているようにすることで、MEは、まずSUCI計算インジケータの値を読み込んだりチェックしたりして、SUCI計算インジケータの値が「MEで計算」の場合にのみ、図示されている「SUCI計算情報の要求」を実行することが可能になる。さらに、そうすることで、MEは以前からキャッシュもしくは保存されている情報を削除することが可能になる。
【００３９】
SUCI計算に必要な情報を条件付きでMEに提供するようにUSIMを構成することは有効である。とはいえ、それだけではまだ不十分である。USIMがMEに提供しないであろう情報（例えば，SUPI，HN公開鍵，暗号化方法パラメータなど）は，厳密にはMEに対して隠蔽されることを意図したものでないことに留意されたい。例えば、非対称暗号化方式は公開鍵を隠すようには設計されていない。HN公開鍵という名前自体が、その鍵が公開鍵であって秘密鍵ではないことを示唆している。したがって、理論的には、USIMが提供しなくても、MEは何らかの方法でSUCI計算に必要な情報にアクセスできることが想定される。
【００４０】
MEがSUCI計算に必要な情報にアクセスできるもう一つのシナリオは、USIMのHNがSUCI計算インジケータの値を元々「MEで計算」としてプロビジョニングしていた場合である。この場合、USIMはSUCI計算に必要な情報をMEに提供するであろう。次に、何らかの理由で、HNは、USIM内のSUCI計算インジケータの値を「USIMで計算」に変更または再プロビジョニングすることを決定するかもしれない。HNは、動作が不適切なMEでSUCI計算が不適切に実行されないように、この決定を行うかもしれない。この場合、MEは既に以前からSUCIの計算に必要な情報をキャッシュしている可能性がある。このように、SUCI計算インジケータの値は現時点で「USIMで計算」となっていても、MEはSUCIの計算に必要な情報にアクセスすることができる。したがって、HNがUSIMのSUCI計算インジケータの値を「USIMで計算」にプロビジョニングまたは再プロビジョニングする場合、HNは、MEによって過去に実行されたキャッシングが無効となるように、もしあれば、既存のHN公開鍵を（好ましくはHN公開鍵の識別子のような他の関連情報についても）変更するというのが我々の教示である。
【００４１】
しかし、HN公開鍵の変更は、要求が厳しく、操作的にも複雑な手順になる可能性がある。次に、より効率的な仕組みについて説明する。5GネットワークがUEによって計算されたSUCIを復号するためには、UEと5Gネットワークがいずれも、UEがSUCIを計算する際に使用した暗号化方式を互いに特定可能な必要があることに留意されたい。この相互識別は、暗号化方式識別子と呼ばれる識別子によって実施できる。繰り返すが、暗号化方式は標準化されているかもしれないし、独自のものかもしれない。したがって、標準化された暗号化方式には標準化された暗号化方式識別子が必要となり、独自の暗号化方式には独自の暗号化方式識別子が必要である。標準化された暗号化方式および独自の暗号化方式のうち、MEに実装されている可能性のある暗号化方式は標準化された暗号化方式であること、つまり、SUCI計算インジケータの値が「USIMで計算」であってもMEが自ずと使用しうる標準化された暗号化方式であることに注目する。これは、MEが独自の暗号化方式がどのようなものであるかを知らないためにそれを実装することができなかったためであり、SUCI計算インジケータの値が「USIMで計算」である場合、MEは独自の暗号化方式を自ずと使用することができないことを意味する。そこで、HNがUSIM内のSUCI計算インジケータの値を「USIMで計算」にプロビジョニングまたは再プロビジョニングする場合、暗号化方式が標準化されたものであっても、HNが独自の暗号化方式の識別子を選択してプロビジョニングするというのが我々の教示である。暗号化方式の識別子が標準化されたものでないことにより、MEがSUCIを計算するために必要な情報を持っていたとしても、MEはどの暗号化方式を使用すべきか知ることができない。したがって、暗号化方式と暗号化方式識別子との関係はSUCIの計算に必要な独自情報であるが、MEはこの関係を知らないため、SUCIの計算のためにその独自情報をどのように利用したらよいか分からない。したがって、MEはUSIMにSUCIを計算させる必要があるだろう。
【００４２】
もう一つの可能性としては、HNがUSIMのSUCI計算インジケータの値を「USIMで計算」にプロビジョニングまたは再プロビジョニングする場合、独自の暗号化方式が選択され、対応して独自の暗号化方式識別子が選択されることが考えられる。この場合、SUCIの計算に必要なものとして独自の暗号化方式が設定され、MEはSUCIの計算のためにその独自情報をどのように利用したらよいかを知らない。
【００４３】
さらに，HNがUSIMのSUCI計算インジケータの値をプロビジョニングまたは再プロビジョニングする場合，USIMは，当該変更をMEに知らせるか通知することもまた我々の教示である。USIMは、MEがUSIMからSUCI計算インジケータの値を再読み取りするようにトリガされるように、REFRESHと呼ばれるUSIMアプリケーションツールキット(USAT)コマンドを使用するかもしれない。そうすることで、MEがSUCI計算インジケータの値「MEで計算」を既に読み込んでいる際に、SUCI計算インジケータ「USIMで計算」に変更されたにもかかわらず、MEが自身でのSUCI計算を継続するいう状況を回避することができる。
【００４４】
我々の提案や教示によれば、たとえMEがSUCIの計算に必要な情報を読むことができたり、アクセスできたりしても、SUCIを計算することができないことを理解すべきである。これによりHNは，MEとUSIMのどちらがSUCIの実際の計算を行うかどうかを効果的に制御できる。また、我々の提案では、動作が不適切なMEはネットワークサービスを受けることができなくなるため、HNおよびMEのユーザの両方から容易に検出されることになる。
【００４５】
図６は、いくつかの実施形態に係る無線ネットワークを示している。
【００４６】
本明細書に記載された主題は、任意の適切な構成要素を用いる任意の適切なタイプのシステムで実行することができるが、本明細書に開示される実施形態は、図６に示される例示的な無線ネットワークのような無線ネットワークに関して説明される。簡単のために、図６の無線ネットワークは、ネットワーク６０６、ネットワークノード６６０および６６０ｂ、ならびにWD６１０、６１０ｂ、および６１０ｃのみを示している。実際には、無線ネットワークは、無線機器間の通信、または無線機器と他の通信機器（例えば、固定電話、サービスプロバイダ、または任意の他のネットワークノードまたはエンドデバイス）との間の通信をサポートするのに適した任意の追加要素をさらに含んでもよい。図示された構成要素のうち、ネットワークノード６６０および無線機器(WD)６１０は、より詳細に示されている。無線ネットワークは、無線機器の、無線ネットワークによって提供されるサービスへのアクセスおよび／または無線ネットワークによる／を介したサービスの使用を容易にするために、通信および他のタイプのサービスを１以上の無線機器に提供してもよい。
【００４７】
無線ネットワークは、任意のタイプの通信、電気通信、データ、セルラー、および／または無線ネットワーク、または他の類似したタイプのシステムを有し、および／またはインターフェイスしうる。いくつかの実施形態において無線ネットワークは、特定の規格または他のタイプの事前に定義された規則または手順に従って動作するように構成されてもよい。したがって、無線ネットワークの具体的な実施形態は、Global System for Mobile Communications (GSM)、Universal Mobile Telecommunications System (UMTS)、Long Term Evolution (LTE)、および／または他の適切な2G、3G、4G、または5G規格などの通信規格、IEEE 802.11規格などの無線ローカルエリアネットワーク(WLAN)規格、および／またはWorldwide Interoperability for Microwave Access (WiMax)、Bluetooth、Z-Wave、および／またはZigBee規格などの通信規格を実装しうる。
【００４８】
ネットワーク６０６は、機器間の通信を可能にするために、１つまたは複数のバックホールネットワーク、コアネットワーク、IPネットワーク、公衆交換電話網（PSTN）、パケットデータネットワーク、光ネットワーク、広域ネットワーク（WAN）、ローカルエリアネットワーク（LAN）、無線ローカルエリアネットワーク（WLAN）、有線ネットワーク、無線ネットワーク、メトロポリタンエリアネットワーク、および他のネットワークを有しうる。
【００４９】
ネットワークノード６６０およびWD６１０は、以下でより詳細に説明する様々な構成要素を有する。これらの構成要素は、無線ネットワークにおける無線接続の提供など、ネットワークノードおよび／または無線機器の機能を提供するために協働する。異なる実施形態では、無線ネットワークは、有線接続であるか無線接続であるかに係わらず、データおよび／または信号の通信を容易にするか通信に参加する、任意の数の、有線または無線ネットワーク、ネットワークノード、基地局、コントローラ、無線機器、中継局、および／または他の構成要素またはシステムを有しうる。
【００５０】
本明細書で使用される場合、ネットワークノードとは、無線機器および／または無線ネットワーク内の他のネットワークノードまたは装置と直接的または間接的に通信して、無線機器への無線アクセスを可能にするおよび／または提供し、および／または無線ネットワーク内の他の機能（例えば管理）を実行するように、構成され、配置され、および／または動作可能である装置を指す。ネットワークノードの例としては、アクセスポイント(AP)（例えば、無線アクセスポイント）、基地局(BS)（例えば、無線基地局、ノードB、進化型ノードB(eNB)、およびNRノードB(gNB)）が挙げられるが、これらに限定されない。基地局は、それらが提供するカバレッジの量（別の言い方をすれば、送信電力レベル）に基づいて分類され、フェムト基地局、ピコ基地局、マイクロ基地局、またはマクロ基地局と呼ばれることもある。基地局は、中継ノードであってもよいし、中継を制御する中継ドナーノードであってもよい。ネットワークノードはまた、集中デジタルユニットおよび／またはリモート無線ユニット(RRU)のような分散型無線基地局の１つまたは複数（またはすべて）の部分を含んでもよく、リモート無線ヘッド(RRRH)と呼ばれることもある。このような遠隔無線ユニットは、アンテナ一体型無線機としてアンテナと一体化されていてもよいし、アンテナと一体化されていなくてもよい。分散型無線基地局の一部は、分散型アンテナシステム(DAS)のノードと呼ばれることもある。ネットワークノードのさらなる例としては、MSR BSなどのマルチスタンダード無線(MSR)機器、無線ネットワークコントローラ(RNC)または基地局コントローラ(BSC)などのネットワークコントローラ、基地トランシーバ局(BTS)、送信ポイント、送信ノード、マルチセル／マルチキャスト調整エンティティ(MCE)、コアネットワークノード(MSC、MMEなど)、O&Mノード、OSSノード、SONノード、測位ノード（E-SMLCなど）、および／またはMDTなどが挙げられる。別の例として、ネットワークノードは、以下でより詳細に説明するように、仮想ネットワークノードであってもよい。しかしながら、より一般的には、ネットワークノードは、無線機器に無線ネットワークへのアクセスを可能にし、および／または提供し、または無線ネットワークにアクセスした無線デバイスに何らかのサービスを提供する、ことが可能な、ように構成され、ように配置され、および／またはように動作可能な任意の適切な機器（または機器グループ）を表しうる。
【００５１】
図６において、ネットワークノード６６０は、処理回路６７０、機器可読媒体６８０、インターフェース６９０、補助装置６８４、電源６８６、電源回路６８７、およびアンテナ６６２を含む。図６の例示的な無線ネットワークに示されたネットワークノード６６０は、示されたハードウェア要素の組み合わせを含む機器を表してもよいが、他の実施形態では、異なる構成要素の組み合わせを有するネットワークノードを有してもよい。ネットワークノードは、本明細書に開示されたタスク、特徴、機能、および方法を実行するために必要なハードウェアおよび／またはソフトウェアの任意の適切な組み合わせを有することを理解すべきである。さらに、ネットワークノード６６０の構成要素は、より大きなボックス内に配置された、または複数のボックス内に入れ子状に配置された単独のボックスとして示されているが、実際には、ネットワークノードは、単一の図示された構成要素を構成する複数の異なる物理的な構成要素を有しうる（例えば、機器読取可能媒体６８０は、複数の独立したハードドライブおよび複数のRAMモジュールを有しうる）。
【００５２】
図示されたネットワークノード６６０は無線アクセスネットワークノードであるが、本明細書に記載された方法は、アクセスおよびモビリティ管理機能（AMF）またはセキュリティアンカー機能（SEAF）、認証サーバ機能（AUSF）、または統一データ管理（UDM）または加入識別隠蔽解除機能（SIDF）機能などのコアネットワークノード（これらは単なる例示であり、これらに限定されない）を含む、任意のネットワークノードまたはネットワーク機能で使用することができる。このようなコアネットワークノードの場合、それぞれのネットワークノードは、図６に示す構成要素のいずれかまたはすべてを含んでいてもよいが、図に示す無線通信機能を含んでいなくてもよい。
【００５３】
同様に、ネットワークノード６６０は、複数の物理的に分離された構成要素（例えば、NodeB要素とRNC要素、またはBTS要素とBSC要素など）で構成されていてもよく、各構成要素はそれぞれが独自の構成要素を有していてもよい。ネットワークノード６６０が複数の別個の構成要素（例えば、BTS要素およびBSC要素）を有する特定のシナリオでは、別個の構成要素のうちの１つまたは複数が、複数のネットワークノード間で共有されてもよい。例えば、1つのRNCが複数のNodeBを制御してもよい。このようなシナリオでは、NodeBとRNCとの固有の組み合わせはそれぞれ、いくつかの例では１つの独立したネットワークノードと見なされてもよい。いくつかの実施形態においてネットワークノード６６０は、複数の無線アクセス技術（RAT）をサポートするように構成されてもよい。そのような実施形態では、いくつかの構成要素は複製されてもよく（例えば、異なるRATのための独立した機器可読媒体６８０）、いくつかの構成要素は再利用されてもよい（例えば、同じアンテナ６６２は複数のRATによって共有されてもよい）。ネットワークノード６６０はまた、ネットワークノード６６０に統合された異なる無線技術、例えば、GSM、WCDMA、LTE、NR、WiFi、またはBluetooothなどの無線技術のための、様々な図示された構成要素の複数のセットを含んでもよい。これらの無線技術は、ネットワークノード６６０内で、他の構成要素と同一または異なるチップまたはチップセットに統合されていてもよい。
【００５４】
処理回路６７０は、ネットワークノードによって提供されるものとして本明細書に記載されている任意の決定、計算、または類似動作（例えば、特定の取得動作）を実行するように構成されている。処理回路６７０によって実行されるこれらの動作は、例えば、得られた情報を他の情報に変換すること、得られた情報または変換された情報をネットワークノードに記憶されている情報と比較すること、および／または得られた情報または変換された情報に基づいて１つ以上の動作を実行することによって処理回路６７０によって得られた情報を処理することと、この処理の結果として決定を行うこととを含んでもよい。
【００５５】
処理回路６７０は、単独で、または例えば機器可読媒体６８０のようなネットワークノード６６０の他の構成要素と協働して、ネットワークノード６６０の機能を提供するために動作可能な、マイクロプロセッサ、コントローラ、マイクロコントローラ、中央処理装置、デジタル信号プロセッサ、特定用途向け集積回路、フィールドプログラマブルゲートアレイ、または他の適切なコンピューティング機器、リソース、またはハードウェア、ソフトウェア、および／またはコード化されたロジック、の１つ以上の組み合わせで構成されていてもよい。例えば、処理回路６７０は、機器可読媒体６８０に格納された命令を実行してもよいし、処理回路６７０内のメモリに格納された命令を実行してもよい。そのような機能は、本明細書で論じられている様々な無線機能、特徴、または利点のいずれかを提供することを含んでもよい。いくつかの実施形態において処理回路６７０は、システムオンチップ（SOC）を含んでもよい。
【００５６】
いくつかの実施形態において処理回路６７０は、無線周波数（RF）トランシーバ回路６７２およびベースバンド処理回路６７４のうちの１つまたは複数を含んでもよい。いくつかの実施形態において、無線周波数（RF）トランシーバ回路６７２およびベースバンド処理回路６７４は、独立したチップ（またはチップセット）、基板、または無線ユニットおよびデジタルユニットなどのユニット上にあってもよい。代替的な実施形態では、RFトランシーバ回路６７２およびベースバンド処理回路６７４の一部または全部が、同一のチップ、あるいはチップ、基板、またはユニットのセットにあってもよい。
【００５７】
特定の実施形態では、ネットワークノード、基地局、eNB、または他の同様のネットワーク機器によって提供されるように本明細書に記載されている機能の一部または全部は、処理回路６７０が、機器可読媒体６８０または処理回路６７０内のメモリに格納されている命令を実行することによって実施されてもよい。代替的な実施形態では、機能の一部または全部は、独立したまたは離散的な機器可読媒体に格納された命令を実行することなく、ハードワイヤード方式などによって処理回路６７０によって提供されてもよい。それらの実施形態のいずれにおいても、機器可読記憶媒体に格納された命令を実行するか否かにかかわらず、処理回路６７０は、本明細書で説明される機能を実行するように構成され得る。このような機能によって提供される利点は、処理回路６７０単独またはネットワークノード６６０の他の構成要素に限定されるものではなく、ネットワークノード６６０全体、および／またはエンドユーザおよび無線ネットワーク全般によって享受される。
【００５８】
機器可読媒体６８０は、処理回路６７０によって使用されうる情報、データ、および／または命令を格納する任意の形態の揮発性または不揮発性のコンピュータ可読メモリを有しうる。コンピュータ可読メモリは、固定記憶装置、半導体メモリ、リモートマウントメモリ、磁気媒体、光学媒体、ランダムアクセスメモリ（RAM）、リードオンリーメモリ（ROM）、大容量記憶媒体（例えば、ハードディスク）、リムーバブル記憶媒体（例えば、フラッシュドライブ、コンパクトディスク（CD）またはデジタルビデオディスク（DVD））、および／または、他の任意の揮発性または不揮発性の恒久的機器可読および／またはコンピュータ実行可能な記憶装置を含むが、これらに限定されない。機器可読媒体６８０は、コンピュータプログラム、ソフトウェア、（ロジック、ルール、コード、テーブルなどの１つ以上を含む）アプリケーション、および／または、処理回路６７０によって実行され、ネットワークノード６６０によって利用されることが可能な他の命令を含む、任意の適切な命令、データまたは情報を格納することができる。機器可読媒体６８０は、処理回路６７０によって行われた任意の計算結果、および／またはインターフェース６９０を介して受信された任意のデータを格納するために使用されてもよい。いくつかの実施形態において、処理回路６７０と機器可読媒体６８０とが一体であると見なされてもよい。
【００５９】
インターフェース６９０は、ネットワークノード６６０、ネットワーク６０６、および／またはWD６１０間のシグナリングおよび／またはデータの有線または無線通信に使用される。図示されているように、インターフェース６９０は、例えば有線接続を介してネットワーク６０６との間でデータを送受信するための１つ以上のポート／端子６９４を有する。インターフェース６９０はまた、無線フロントエンド回路６９２を含む。無線フロントエンド回路６９２は、アンテナ６６２に接続されてよく、特定の実施形態ではアンテナ６６２の一部であってもよい。無線フロントエンド回路６９２は、フィルタ６９８と増幅器６９６とを有する。無線フロントエンド回路６９２は、アンテナ６６２および処理回路６７０に接続されていてもよい。無線フロントエンド回路は、アンテナ６６２と処理回路６７０との間で通信される信号を調整するように構成されてもよい。無線フロントエンド回路６９２は、無線接続を介して他のネットワークノードまたはWDに送信されるべきデジタルデータを受信してもよい。無線フロントエンド回路６９２は、フィルタ６９８および／または増幅器６９６の組み合わせを使用して、デジタルデータを適切なチャネルおよび帯域幅パラメータを有する無線信号に変換してもよい。そして、無線信号は、アンテナ６６２を介して送信されてもよい。同様に、データを受信する場合、アンテナ６６２は、無線フロントエンド回路６９２によってデジタルデータに変換される無線信号を収集してもよい。デジタルデータは、処理回路６７０に渡されてもよい。他の実施形態においてインターフェースは、異なる構成要素および／または構成要素の異なる組み合わせを有してもよい。
【００６０】
特定の代替的な実施形態において、ネットワークノード６６０は、独立した無線フロントエンド回路６９２を含まなくてもよく、代わりに、独立した無線フロントエンド回路６９２なしに処理回路６７０が無線フロントエンド回路を有してアンテナ６６２に接続されてもよい。同様に、いくつかの実施形態では、RFトランシーバ回路６７２の全部または一部がインターフェース６９０の一部とみなされてもよい。さらに別の実施形態では、インターフェース６９０は、無線ユニット（図示せず）の一部として、１つまたは複数のポートまたは端子６９４、無線フロントエンド回路６９２、およびRFトランシーバ回路６７２を含んでもよく、インターフェース６９０は、デジタルユニット（図示せず）の一部であるベースバンド処理回路６７４と通信してもよい。
【００６１】
アンテナ６６２は、無線信号を送信および／または受信するように構成された１つ以上のアンテナまたはアンテナアレイを含んでもよい。アンテナ６６２は、無線フロントエンド回路６９０に接続されてもよく、データおよび／または信号を無線で送受信することができる任意のタイプのアンテナであってよい。いくつかの実施形態では、アンテナ６６２は、例えば２GHzと６６GHzの間で無線信号を送受信するために動作可能な１つ以上の無指向性アンテナ、セクタアンテナ、またはパネルアンテナを有してもよい。無指向性アンテナは、無線信号をどの方向について送信／受信するために用いることができ、セクターアンテナは、特定のエリア内の機器からの無線信号を送信／受信するために用いることができ、パネルアンテナは、無線信号を比較的直線的に送信／受信するための視線アンテナであってもよい。いくつかの実施形態では、複数のアンテナを使用することをMIMOと呼ぶことがある。特定の実施形態では、アンテナ６６２は、ネットワークノード６６０と別個であってよく、インターフェースまたはポートを介してネットワークノード６６０に接続可能であってよい。
【００６２】
アンテナ６６２、インターフェース６９０、および／または処理回路６７０は、ネットワークノードによって実行されるものとして本明細書に記載される任意の受信動作および／または特定の取得動作を実行するように構成されてもよい。任意の情報、データおよび／または信号は、無線機器、他のネットワークノード、および／または他のネットワーク装置から受信されてもよい。同様に、アンテナ６６２、インタフェース６９０、および／または処理回路６７０は、ネットワークノードによって実行されるものとして本明細書に記載されている任意の送信動作を実行するように構成されてもよい。任意の情報、データおよび／または信号は、無線機器、他のネットワークノード、および／または他のネットワーク装置に送信されてもよい。
【００６３】
電源回路６８７は、電力管理回路を有し、あるいは電力管理回路に接続されてよく、ネットワークノード６６０の構成要素に、本明細書に記載された機能を実行するための電力を供給するように構成されている。電源回路６８７は、電源６８６から電力を受け取ってもよい。電源６８６および／または電源回路６８７は、それぞれの構成要素に適した形で（例えば、それぞれの構成要素に必要とされる電圧および電流レベルで）ネットワークノード６６０の様々な構成要素に電力を供給するように構成されてよい。電源６８６は、電源回路６８７および／またはネットワークノード６６０に含まれていてもよいし、外部にあってもよい。例えば、ネットワークノード６６０は、電気ケーブルのような入力回路またはインターフェースを介して外部電源（例えば、コンセント）に接続可能であってよく、それにより、外部電源は電源回路６８７に電力を供給する。さらなる例として、電源６８６は、電源回路６８７に接続され、または電源回路６８７と一体化されている電池または電池パックの形態の電源を有してもよい。電池は、外部電源が故障した場合にバックアップ電源を供給することができる。また、他の種類の電源、例えば、太陽光発電装置を用いてもよい。
【００６４】
ネットワークノード６６０の代替的な実施形態は、本明細書に記載された機能のいずれか、および／または本明細書に記載された主題をサポートするために必要な機能のいずれかを含む、ネットワークノードの機能の特定の態様の提供を受け持つ、図６に示されていないさらなる構成要素を含んでもよい。例えば、ネットワークノード６６０は、ネットワークノード６６０への情報の入力を可能にするとともに、ネットワークノード６６０からの情報の出力を可能にするためのユーザインタフェース装置を含んでもよい。これによりユーザは、ネットワークノード６６０の診断、保守、修理、および他の管理機能を実行することが可能になりうる。
【００６５】
本明細書で使用される場合、無線機器（WD）は、ネットワークノードおよび／または他の無線機器と無線で通信する、ことが可能な、ように構成され、ように配置され、および／またはように動作可能な機器を指す。特に断りのない限り、本明細書では、用語「WD」がユーザ装置（UE）と互換的に使用されうる。無線で通信することは、電磁波、電波、赤外線、および／または空気を通じて情報を伝達するのに適した他のタイプの信号を用いて無線信号を送信および／または受信することを含んでもよい。いくつかの実施形態では、WDは、直接的な人間の相互作用なしに情報を送信および／または受信するように構成されてもよい。例えば、WDは、内部または外部イベントによってトリガされた際に、またはネットワークからの要求に応答して、所定のスケジュールでネットワークに情報を送信するように設計されていてもよい。WDの例としては、スマートフォン、移動電話、携帯電話、VoIP（ボイスオーバーIP）電話、無線ローカルループ電話、デスクトップコンピュータ、パーソナルデジタルアシスタント（PDA）、無線カメラ、ゲーム機または装置、音楽ストレージデバイス、再生アプライアンス、ウェアラブル端末機器、無線エンドポイント、モバイルステーション、タブレット、ラップトップ、ラップトップ内蔵装置（LEE）、ラップトップ搭載装置（LME）、スマートデバイス、無線カスタマープレミス装置（CPE）、車載型無線端末機器などが挙げられるが、これらに限定されない。
【００６６】
WDは、例えば、サイドリンク通信、車車間通信（V2V）、路車間通信（V2I）、車両−モノ通信（V2X）のための3GPP標準を実装することによって、デバイス間通信（D2D）をサポートしてもよく、この場合、D2D通信デバイスと呼ばれうる。さらに別の具体例として、モノのインターネット（IoT）シナリオにおいて、WDは、監視および／または測定を実行し、そのような監視および／または測定の結果を別のWDおよび／またはネットワークノードに送信する機械または他の機器を表しうる。この場合、WDは、3GPPの文脈ではMTCデバイスと呼ばれているマシンツーマシン(M2M)デバイスでありうる。１つの具体例として、WDは3GPP狭帯域モノのインターネット（NB-IoT）規格を実装したUEであってよい。このような機械または装置の具体例としては、センサ、電力計などの計量機器、産業機械、または家庭用または個人用の電化製品（例えば、冷蔵庫、テレビなど）、個人用ウェアラブル機器（例えば、腕時計、フィットネストラッカーなど）が挙げられる。他のシナリオでは、WDは、自身の動作状態または自身の動作に関連する他の機能を監視および／または報告することができる、車両または他の装置を表しうる。上述したようなWDは、無線接続の終点を表してもよく、この場合、WDは無線端末と呼ばれうる。さらに、上述したようなWDは、移動可能であってもよく、この場合、WDはモバイル機器またはモバイル端末と呼ばれうる。
【００６７】
図示されているように、無線デバイス６１０は、アンテナ６１１、インターフェース６１４、処理回路６２０、機器可読媒体６３０、ユーザインターフェース装置６３２、補助装置６３４、電源６３６、および電源回路６３７を含む。WD６１０は、例えば、いくつか挙げるだけでも、GSM、WCDMA、LTE、NR、WiFi、WiMAX、またはBluetooothの無線技術といった、WD６１０によってサポートされる異なる無線技術のための、図示された構成要素の１つまたは複数のセットを含みうる。これらの無線技術は、WD６１０内の他の構成要素と、同一または異なるチップまたはチップセットに統合されていてもよい。
【００６８】
アンテナ６１１は、無線信号を送信および／または受信するように構成された１つ以上のアンテナまたはアンテナアレイを含んでもよい。特定の代替的な実施形態では、アンテナ６１１は、WD６１０と別個であってよく、インターフェースまたはポートを介してWD６１０に接続可能であってよい。アンテナ６１１、インターフェース６１４、および／または処理回路６２０は、WDによって実行されるように本明細書に記載されている任意の受信または送信動作を実行するように構成されてもよい。任意の情報、データおよび／または信号は、ネットワークノードおよび／または別のWDから受信してもよい。いくつかの実施形態では、無線フロントエンド回路および／またはアンテナ６１１は、インターフェースとみなされてもよい。
【００６９】
図示されているように、インターフェース６１４は、無線フロントエンド回路６１２とアンテナ６１１とを有する。無線フロントエンド回路６１２は、１つ以上のフィルタ６１８および増幅器６１６を有する。無線フロントエンド回路６１４は、アンテナ６１１および処理回路６２０に接続されており、アンテナ６１１と処理回路６２０との間で通信される信号を調整するように構成される。無線フロントエンド回路６１２は、アンテナ６１１に接続されていてもよいし、アンテナ６１１の一部であってもよい。いくつかの実施形態では、WD６１０は、独立した無線フロントエンド回路６１２を含まなくてよい。むしろ、処理回路６２０が無線フロントエンド回路を有し、アンテナ６１１に接続されてもよい。同様に、いくつかの実施形態では、RFトランシーバ回路６２２の全部または一部がインターフェース６１４の一部とみなされてもよい。無線フロントエンド回路６１２は、無線接続を介して他のネットワークノードまたはWDに送信されるべきデジタルデータを受信してもよい。無線フロントエンド回路６９２は、フィルタ６９８および／または増幅器６９６の組み合わせを使用して、デジタルデータを適切なチャネルおよび帯域幅パラメータを有する無線信号に変換してもよい。そして、無線信号は、アンテナ６１１を介して送信されてもよい。同様に、データを受信する場合、アンテナ６１１は、無線フロントエンド回路６１２によってデジタルデータに変換される無線信号を収集してもよい。デジタルデータは、処理回路６２０に渡されてもよい。他の実施形態においてインターフェースは、異なる構成要素および／または構成要素の異なる組み合わせを有してもよい。
【００７０】
処理回路６２０は、単独で、または例えば機器可読媒体６３０のようなWD６１０の他の構成要素と協働して、WD６１０の機能を提供するために動作可能な、マイクロプロセッサ、コントローラ、マイクロコントローラ、中央処理装置、デジタル信号プロセッサ、特定用途向け集積回路、フィールドプログラマブルゲートアレイ、または他の適切なコンピューティング機器、リソース、またはハードウェア、ソフトウェア、および／またはコード化されたロジック、の１つ以上の組み合わせで構成されていてもよい。そのような機能は、本明細書で論じられている様々な無線機能または利点のいずれかを提供することを含んでもよい。例えば、処理回路６２０は、本明細書に開示された機能を提供するために、機器可読媒体６３０に、または処理回路６２０内のメモリに格納された命令を実行してもよい。
【００７１】
図示されているように、処理回路６２０は、RFトランシーバ回路６２２、ベースバンド処理回路６２４、およびアプリケーション処理回路６２６のうちの１つまたは複数を含む。他の実施形態において処理回路は、異なる構成要素および／または構成要素の異なる組み合わせを有してもよい。特定の実施形態では、WD６１０の処理回路６２０は、SOCを有してもよい。いくつかの実施形態では、RFトランシーバ回路６２２、ベースバンド処理回路６２４、およびアプリケーション処理回路６２６は、別個のチップまたはチップセット上にあってもよい。代替的な実施形態では、ベースバンド処理回路６２４およびアプリケーション処理回路６２６の一部または全部が、１つのチップまたはチップセットに結合されてもよく、RFトランシーバ回路６２２は、別個のチップまたはチップセット上にあってもよい。さらに代替的な実施形態では、RFトランシーバ回路６２２およびベースバンド処理回路６２４の一部または全部が同じチップまたはチップセット上にあってもよく、アプリケーション処理回路６２６が別個のチップまたはチップセット上にあってもよい。さらに他の代替的な実施形態では、RFトランシーバ回路６２２、ベースバンド処理回路６２４、およびアプリケーション処理回路６２６の一部または全部が、同じチップまたはチップセットに組み合わされてもよい。いくつかの実施形態では、RFトランシーバ回路６２２は、インターフェース６１４の一部であってもよい。RFトランシーバ回路６２２は、処理回路６２０用にRF信号を調整してもよい。
【００７２】
特定の実施形態では、WDによって実行されるものとして本明細書に記載されている機能の一部または全部は、UEまたはWDのME部の処理回路６２０によって提供されてもよい。他の機能は、ここでは機器可読媒体６３０によって表されうる、UICCのような取り外し可能な耐タンパー性記憶装置で稼働するUSIM機能によって実行されてもよい。ME部の機能の一部または全部は、独立したまたは離散的な機器可読記憶媒体に格納された命令を実行することなく、ハードワイヤード方式などによって処理回路６２０によって提供されてもよい。それらの実施形態のいずれにおいても、機器可読記憶媒体に格納された命令を実行するか否かにかかわらず、処理回路６２０は、本明細書で説明される機能を実行するように構成され得る。このような機能によって提供される利点は、処理回路６２０単独またはWD６１０の他の構成要素に限定されるものではなく、WD６１０全体、および／またはエンドユーザおよび無線ネットワーク全般によって享受される。
【００７３】
処理回路６２０は、WDによって実行されるものとして本明細書に記載されている任意の決定、計算、または類似動作（例えば、特定の取得動作）を実行するように構成されうる。処理回路６２０によって実行されるこれらの動作は、例えば、得られた情報を他の情報に変換すること、得られた情報または変換された情報をWD６１０に記憶されている情報と比較すること、および／または得られた情報または変換された情報に基づいて１つ以上の動作を実行することによって処理回路６２０によって得られた情報を処理することと、この処理の結果として決定を行うこととを含んでもよい。
【００７４】
機器可読媒体６３０は、コンピュータプログラム、ソフトウェア、（ロジック、ルール、コード、テーブルなどの１つ以上を含む）アプリケーション、および／または、処理回路６２０によって実行可能な他の命令を格納するように動作可能であってよい。機器可読媒体６３０は、コンピュータメモリ（例えば、ランダムアクセスメモリ（RAM）またはリードオンリーメモリ（ROM））、大容量記憶媒体（例えば、ハードディスク）、リムーバブル記憶媒体（例えば、コンパクトディスク（CD）またはデジタルビデオディスク（DVD））、および／または、処理回路６２０によって使用され得る情報、データ、および／または命令を格納する他の揮発性または不揮発性の恒久的機器可読および／またはコンピュータ実行可能なメモリ機器を含んでよい。いくつかの実施形態において、処理回路６２０と機器可読媒体６３０とが一体であると見なされてもよい。
【００７５】
ユーザインタフェース装置６３２は、人間のユーザがWD６１０と対話することを可能にする構成要素を提供することができる。そのような対話は、視覚的、聴覚的、触覚的などの多くの形態をとりうる。ユーザインタフェース装置６３２は、ユーザへの出力を生成し、ユーザがWD６１０に入力を与えることを可能にするために動作可能であってよい。対話の種類は、WD６１０に設置されたユーザインタフェース装置６３２の種類に応じて異なっていてもよい。例えば、WD６１０がスマートフォンであれば、対話はタッチスクリーンを介して行われ、WD６１０がスマートメーターであれば、対話は使用量（例えば、使用されたガロン数）を提供する画面や、（例えば、煙が検出された場合）音声による警告を提供するスピーカーを介して行われうる。ユーザインタフェース装置６３２は、入力インタフェース、機器、および回路、並びに出力インタフェース、装置、および回路を含んでよい。ユーザインタフェース装置６３２は、WD６１０へ情報を入力できるように構成されている。また、入力された情報を処理回路６２０が処理することができるように、処理回路６２０に接続されている。ユーザインタフェース装置６３２は、例えば、マイク、近接または他のセンサ、キー／ボタン、タッチディスプレイ、１つまたは複数のカメラ、USBポート、または他の入力回路を含んでよい。また、ユーザインタフェース装置６３２は、WD６１０からの情報の出力を可能とし、また処理回路６２０がWD６１０からの情報を出力できるように構成されている。ユーザインタフェース装置６３２は、例えば、スピーカ、ディスプレイ、振動回路、USBポート、ヘッドフォンインタフェース、または他の出力回路を含んでもよい。ユーザインタフェース装置６３２の、１つまたは複数の入力および出力インタフェース、機器、および回路を使用して、WD６１０はエンドユーザおよび／または無線ネットワークと通信し、エンドユーザおよび／または無線ネットワークが本明細書に記載された機能の恩恵を受けることを可能にしてもよい。
【００７６】
補助装置６３４は、WDによって一般的には実行されないかもしれない、より独特な機能を提供するために動作可能である。これは、様々な目的のために測定を行うための特殊なセンサ、有線通信などの付加的なタイプの通信のためのインタフェースなどを含みうる。補助装置６３４を含むか否か、および補助装置６３４の構成要素のタイプは、実施形態および／またはシナリオに応じて変化しうる。
【００７７】
電源６３６は、いくつかの実施形態では、電池または電池パックの形態を取り得る。例えば、外部電源（例えば、コンセント）、太陽光発電装置またはパワーセルのような、他の種類の電源を使用してもよい。WD６１０は、本明細書に記載または示された任意の機能を実行するために電源６３６からの電力を必要とするWD６１０の様々な部分に電源６３６からの電力を供給するための電源回路６３７をさらに有してもよい。電源回路６３７は、特定の実施形態では、電力管理回路を有してもよい。電源回路６３７は、追加的または代替的に、外部電源から電力を受け取るために動作可能であってもよく、その場合、WD６１０は、入力回路または電力ケーブルのようなインターフェースを介して、外部電源（コンセントなど）に接続可能であってもよい。電源回路６３７はまた、特定の実施形態では、外部電源から電源６３６に電力を供給するために動作可能であってもよい。これは、例えば、電源６３６を充電するためのものであってもよい。電源回路６３７は、電源６３６からの電力を、電力が供給されるWD６１０の各構成要素に適したものにするために、電源６３６からの電力に対して任意のフォーマット、変換、または他の変更を行ってもよい。
【００７８】
図７は、本明細書に記載された様々な態様に係るUEの一実施形態を示す。本明細書で使用される場合、ユーザ装置またはUEは、必ずしも、当該装置を所有し、および／または操作する人間のユーザという意味でのユーザを有していなくてもよい。代わりに、UEは、人間のユーザへの販売または人間のユーザによる操作を意図しているが、特定の人間のユーザに関連付けられていなくてもよい、または最初は関連付けられていなくてもよい機器（例えば、スマートスプリンクラーコントローラ）を表しうる。あるいは、UEは、エンドユーザへの販売またはエンドユーザによる操作を意図していないが、ユーザの利益に関連付けられうる、またはユーザの利益のために操作されうる装置（例えば、スマート電力メータ）を表してもよい。UE７００は、NB-IoT UE、機械型通信（MTC）UE、および／または拡張MTC（eMTC）UEを含む、第３世代パートナーシッププロジェクト（３GPPP）によって特定される任意のUEであってもよい。図７に示すように、UE７００は、３GPPPのGSM、UMTS、LTE、および／または５G規格などの第３世代パートナーシッププロジェクト（３GPPP）によって公布された１つ以上の通信規格に従って通信するように構成されたWDの一例である。前述したように、用語WDとUEは、交換可能に使用されうる。したがって、図７はUEであるが、本明細書で説明した構成要素はWDにも同様に適用可能であり、その逆も同様である。
【００７９】
図７において、UE７００は、入力／出力インタフェース７０５、無線周波数（RF）インタフェース７０９、ネットワーク接続インタフェース７１１、ランダムアクセスメモリ（RAM）７１７、リードオンリーメモリ（ROM）７１９、および記憶媒体７２１などを含むメモリ７１５、通信サブシステム７３１、電源７３３、および／または任意の他の構成要素、またはそれらの任意の組み合わせに動作可能に接続された処理回路７０１を含む。記憶媒体７２１は、オペレーティングシステム７２３、アプリケーションプログラム７２５、データ７２７を含んでいる。他の実施形態では、記憶媒体７２１は、他の同様のタイプの情報を含んでもよい。特定のUEは図７に示す構成要素のすべてを利用してもよいし、構成要素のサブセットのみを利用してもよい。構成要素間の統合レベルは、UEごとに異なり得る。さらに、特定のUEは、複数のプロセッサ、メモリ、トランシーバ、送信器、受信器といったように、同じ構成要素を複数を含んでもよい。
【００８０】
図７において、処理回路７０１は、コンピュータ命令およびデータを処理するように構成されうる。処理回路７０１は、メモリ内に機械可読コンピュータプログラムとして格納された機械命令を実行するために動作可能な任意の順序状態機械、例えば、（例えば、ディスクリートロジック、FPGA、ASICなどの中の）１つ以上のハードウェア実装状態機械、適切なファームウェアを有するプログラマブルロジック、１つ以上の格納されたプログラム、適切なソフトウェアを有する、デジタルシグナルプロセッサ(DSP)のような汎用（はんよう）プロセッサ、またはこれらの任意の組み合わせを実施するように構成されうる。例えば、処理回路７０１は、２つの中央処理装置（CPU）を含んでもよい。データは、コンピュータが使用するのに適した形の情報であってもよい。
【００８１】
図示した実施形態において、入力／出力インターフェース７０５は、入力デバイス、出力デバイス、または入出力デバイスに通信インターフェースを提供するように構成されてもよい。UE７００は、入力／出力インタフェース７０５を介して出力機器を使用するように構成されていてもよい。出力機器は、入力機器と同じタイプのインタフェースポートを使用してもよい。例えば、UE７００への入力およびUE７００からの出力を提供するためにUSBポートを用いることができる。出力機器は、スピーカ、サウンドカード、ビデオカード、ディスプレイ、モニタ、プリンタ、アクチュエータ、エミッタ、スマートカード、他の出力機器、またはそれらの任意の組み合わせであってもよい。UE７００は、ユーザがUE７００に情報を取り込むことができるように、入力／出力インタフェース７０５を介して入力機器を使用するように構成されていてもよい。入力機器は、タッチセンシティブまたはプレゼンスセンシティブなディスプレイ、カメラ（例えば、デジタルカメラ、デジタルビデオカメラ、ウェブカメラなど）、マイク、センサ、マウス、トラックボール、方向パッド、トラックパッド、スクロールホイール、スマートカードなどを含んでもよい。プレゼンスセンシティブディスプレイは、ユーザからの入力を感知するための静電容量式または抵抗式のタッチセンサを含んでもよい。センサは、例えば、加速度センサ、ジャイロスコープ、傾斜センサ、力センサ、地磁気センサ、光学センサ、近接センサ、別の類似センサ、またはそれらの任意の組み合わせであってもよい。例えば、入力機器は、加速度センサ、地磁気センサ、デジタルカメラ、マイクロフォン、光学センサなどであってもよい。
【００８２】
図７において、RFインターフェース７０９は、送信器、受信器、アンテナなどのRFコンポーネントに通信インターフェースを提供するように構成されてもよい。ネットワーク接続インターフェース７１１は、ネットワーク７４３ａに通信インターフェースを提供するように構成されていてもよい。ネットワーク７４３ａは、ローカルエリアネットワーク（LAN）、広域ネットワーク（WAN）、コンピュータネットワーク、無線ネットワーク、電気通信ネットワーク、別の類似ネットワーク、またはそれらの任意の組み合わせなどの有線および／または無線ネットワークを包含してもよい。例えば、ネットワーク７４３ａは、Wi-Fiネットワークを有してもよい。ネットワーク接続インタフェース７１１は、イーサネット、TCP／IP、SONET、ATMなどの１つ以上の通信プロトコルに従い、通信ネットワークを通じて１つ以上の他の機器と通信するために使用される受信器および送信器インタフェースを含むように構成されていてもよい。ネットワーク接続インタフェース７１１は、通信ネットワークリンク（例えば、光、電気など）に適した受信器および送信器機能を実装してもよい。送信器および受信器機能は、回路部品、ソフトウェアまたはファームウェアを共有してもよいし、あるいは別個に実装されてもよい。
【００８３】
RAM７１７は、オペレーティングシステム、アプリケーションプログラム、デバイスドライバなどのソフトウェアプログラムの実行中に、データまたはコンピュータ命令のストレージまたはキャッシングを提供するために、バス７０２を介して処理回路７０１にインターフェースするように構成されていてもよい。ROM７１９は、コンピュータ命令またはデータを処理回路７０１に提供するように構成されていてもよい。例えば、ROM７１９は、不揮発性メモリに記憶されている基本入出力（I／O）、起動、キーボードからのキーストロークの受信などの基本的なシステム機能のための不変の低レベルシステムコードまたはデータを記憶するように構成されていてもよい。記憶媒体７２１は、RAM、ROM、プログラマブルリードオンリーメモリ（PROM）、消去可能プログラマブルリードオンリーメモリ（EPROM）、電気的に消去可能プログラマブルリードオンリーメモリ（EEPROM）、磁気ディスク、光ディスク、フロッピーディスク、ハードディスク、リムーバブルカートリッジ、またはフラッシュドライブなどのメモリを含むように構成されていてもよい。一例では、記憶媒体７２１は、オペレーティングシステム７２３、Webブラウザアプリケーション、ウィジェットまたはガジェットエンジンまたは別のアプリケーションなどのアプリケーションプログラム７２５、およびデータファイル７２７を含むように構成されてもよい。記憶媒体７２１は、UE７００によって使用するために、様々な、種々のオペレーティングシステムまたはオペレーティングシステムの組み合わせのいずれかを格納してもよい。
【００８４】
記憶媒体７２１は、RAID（Redundant Array of Independent Disk）、フロッピーディスクドライブ、フラッシュメモリ、USBフラッシュドライブ、外付けハードディスクドライブ、サムドライブ、ペンドライブ、キードライブ、高密度デジタル多目的ディスク（HD-DVD）光ディスクドライブ、内蔵ハードディスクドライブ、ブルーレイ光ディスクドライブ、ホログラフィックデジタルデータストレージ（HDDS）光ディスクドライブ、外付けミニデュアルインラインメモリモジュール（DIMM）、同期ダイナミックランダムアクセスメモリ（SDRAM）、外付けマイクロDIMM SDRAM、加入者識別モジュールまたはリムーバブルユーザ識別（SIM/RUIM）モジュールなどのスマートカードメモリ、その他のメモリ、またはそれらの任意の組み合わせなどの多数の物理ドライブユニットを含むように構成されてもよい。記憶媒体７２１は、UE７００が、データをオフロードしたり、データをアップロードしたりするために、一時的または恒久的なメモリ媒体に格納されたコンピュータ実行可能な命令、アプリケーションプログラムなどにアクセスすることを可能にしてもよい。通信システムを利用する製品などの製品は、機器可読媒体を有しうる記憶媒体７２１において有形的に実施されてもよい。
【００８５】
図７において、処理回路７０１は、通信サブシステム７３１を用いてネットワーク７４３ｂと通信するように構成されてもよい。ネットワーク７４３ａとネットワーク７４３ｂは、同じ１つのネットワークまたは複数のネットワークであってもよいし、異なる１つのネットワークまたは複数のネットワークであってもよい。通信サブシステム７３１は、ネットワーク７４３ｂと通信するために使用される１つ以上の送受信器を含むように構成されてもよい。例えば、通信サブシステム７３１は、IEEE 802.11、CDMA、WCDMA、GSM、LTE、UTRAN、WiMaxなどの１つまたは複数の通信プロトコルに従って、他のWD、UE、または無線アクセスネットワーク（RAN）の基地局のような無線通信が可能な別の機器の１つまたは複数のリモート送受信器と通信するために使用される１つまたは複数の送受信器を含むように構成されてもよい。各送受信器は、送信器７３３および／または受信器７３５を含み、それぞれ、RANリンクに適した送信器または受信器機能（例えば、周波数割り当てなど）を実施することができる。さらに、各送受信器の送信器７３３および受信器７３５は、回路構成要素、ソフトウェアまたはファームウェアを共有してもよく、あるいは別個に実装されてもよい。
【００８６】
図示された実施形態では、通信サブシステム７３１の通信機能は、データ通信、音声通信、マルチメディア通信、Bluetooothなどの短距離通信、近接通信、位置を決定するための全地球測位システム（GPS）の使用などの位置ベースの通信、別の同様の通信機能、またはそれらの任意の組み合わせを含むことができる。例えば、通信サブシステム７３１は、セルラ通信、Wi-Fi通信、Bluetooth通信、GPS通信を含んでもよい。ネットワーク７４３ｂは、ローカルエリアネットワーク（LAN）、広域ネットワーク（WAN）、コンピュータネットワーク、無線ネットワーク、電気通信ネットワーク、別の類似ネットワーク、またはそれらの任意の組み合わせなどの有線および／または無線ネットワークを包含してもよい。例えば、ネットワーク７４３ｂは、セルラネットワーク、Wi-Fiネットワーク、および／または近接ネットワークであってもよい。電源７１３は、UE７００の構成要素に交流（AC）または直流（DC）電力を供給するように構成されてもよい。
【００８７】
本明細書に記載される特徴、利点および／または機能は、UE７００の構成要素の１つで実施されてもよいし、UE７００の複数の構成要素にまたがって分割されてもよい。さらに、本明細書に記載された特徴、利点、および／または機能は、ハードウェア、ソフトウェア、またはファームウェアの任意の組み合わせによって実施されてもよい。一例では、通信サブシステム７３１は、本明細書に記載された構成要素のいずれかを含むように構成されてもよい。さらに、処理回路７０１は、バス７０２を介してそのような構成要素のいずれかと通信するように構成されてもよい。別の例では、そのような構成要素のいずれかは、処理回路７０１によって実行されると、本明細書に記載された対応する機能を実行する、メモリに格納されたプログラム命令によって表現されてもよい。別の例では、そのような構成要素のいずれかの機能は、処理回路７０１と通信サブシステム７３１との間で分割されてもよい。別の例では、このような構成要素のうち、計算負荷の大きくない機能は、ソフトウェアまたはファームウェアで実装されてもよく、計算負荷の大きな機能はハードウェアで実装されてもよい。
【００８８】
図８は、いくつかの実施形態によって実装される機能が仮想化されうる仮想化環境８００を例示する模式的なブロック図である。本文脈において、仮想化とは、ハードウェアプラットフォーム、記憶装置、およびネットワークリソースの仮想化を含みうる、装置または機器の仮想バージョンを作成することを意味する。本明細書で使用される場合、仮想化は、ノード（例えば、仮想化された基地局または仮想化された無線アクセスノード）または機器（例えば、UE、無線機器、または任意の他のタイプの通信機器）またはその構成要素に適用することができ、機能の少なくとも一部が（例えば、１つまたは複数のネットワーク内の１つまたは複数の物理処理ノード上で実行される１つまたは複数のアプリケーション、構成要素、機能、仮想マシンまたはコンテナを用いて）１つまたは複数の仮想構成要素として実施される実装に関する。
【００８９】
いくつかの実施形態では、本明細書に記載された機能の一部または全部は、ハードウェアノード８３０のうちの１つまたは複数のハードウェアノード８３０によってホストされる１つまたは複数の仮想化環境８００内に実装された１つまたは複数の仮想マシンによって実行される仮想構成要素として実装されてもよい。さらに、仮想ノードが無線アクセスノードではないか、または無線接続を必要としない実施形態（例えば、コアネットワークノード）では、ネットワークノードは完全に仮想化されていてもよい。
【００９０】
機能は、本明細書に開示されたいくつかの実施形態の特徴、機能、および／または利点のいくつかを実装するために動作可能な１つ以上のアプリケーション８２０（ソフトウェアインスタンス、仮想アプライアンス、ネットワーク機能、仮想ノード、仮想ネットワーク機能などと呼ばれてもよい）によって実装されてもよい。アプリケーション８２０は、処理回路８６０およびメモリ８９０を有するハードウェア８３０を提供する仮想化環境８００で実行される。メモリ８９０は、処理回路８６０によって実行可能な命令８９５を含み、それによってアプリケーション８２０は、本明細書に開示された１つ以上の特徴、利点、および／または機能を提供するために動作可能である。
【００９１】
仮想化環境８００は、既製の市販品（COTS）プロセッサ、特定用途向け集積回路（ASIC）、またはデジタルまたはアナログハードウェア部品を含む他の任意のタイプの処理回路、または特殊用途プロセッサであってもよい、１つ以上のプロセッサまたは処理回路８６０のセットを有する、汎用または特殊用途ネットワークハードウェア機器８３０を有する。各ハードウェア機器は、処理回路８６０によって実行される命令８９５またはソフトウェアを一時的に記憶するための非永続メモリであってもよい、メモリ８９０-１を有しうる。各ハードウェア機器は、物理ネットワークインターフェース８８０を含み、ネットワークインターフェースカードとしても知られる１つ以上のネットワークインターフェースコントローラ（NIC）８７０を有してもよい。各ハードウェア機器はまた、処理回路８６０によって実行可能なソフトウェア８９５および／または命令が格納された、恒久的かつ永続的な、機械可読記憶媒体８９０-２を含んでもよい。ソフトウェア８９５は、１つ以上の仮想化層８５０（ハイパーバイザとも呼ばれる）をインスタンス化するためのソフトウェア、仮想マシン８４０を実行するためのソフトウェア、および本明細書に記載されたいくつかの実施形態に関連して記載された機能、特徴および／または利点を実行することを可能にするソフトウェアを含む、任意のタイプのソフトウェアを含んでもよい。
【００９２】
仮想マシン８４０は、仮想処理、仮想メモリ、仮想ネットワークまたはインターフェース、および仮想ストレージを有し、対応する仮想化層８５０またはハイパーバイザによって実行されてもよい。仮想アプライアンス８２０のインスタンスの異なる実施形態は、仮想マシン８４０の１つ以上に実装されてもよく、実装は異なる方法で行われうる。
【００９３】
動作中、処理回路８６０は、ハイパーバイザーまたは仮想化層８５０をインスタンス化するためのソフトウェア８９５を実行し、これは、仮想マシンモニタ（VMM）と呼ばれることがある。仮想化層８５０は、ネットワークハードウェアのように見える仮想オペレーティングプラットフォームを仮想マシン８４０に提示してもよい。
【００９４】
図８に示すように、ハードウェア８３０は、一般的もしくは特定の構成要素を有するスタンドアロンのネットワークノードであってよい。ハードウェア８３０は、アンテナ８２５を構成してもよく、仮想化を通じていくつかの機能を実装してもよい。あるいは、ハードウェア８３０は、多くのハードウェアノードが協働し、とりわけアプリケーション８２０のライフサイクル管理を監視する管理および調整(MANO)８１００を介して管理される、より大きなハードウェアクラスタ（データセンタや顧客宅内機器(CPE)など）の一部であってもよい。
【００９５】
ハードウェアの仮想化は、一部の文脈ではネットワーク機能仮想化（NFV）と呼ばれている。NFVは、多くのネットワーク機器の種類を業界標準の大容量サーバハードウェア、物理スイッチ、および物理ストレージに統合するために使用されうる。
【００９６】
NFVの文脈では、仮想マシン８４０は、あたかも仮想化されていない物理マシン上でプログラムが実行されているかのようにプログラムを実行する、物理マシンのソフトウェア実装であってもよい。仮想マシン８４０のそれぞれ、およびその仮想マシンを実行するハードウェア８３０の部分は、その仮想マシン独自のハードウェアおよび／またはその仮想マシンが他の仮想マシン８４０と共有するハードウェアであって、別個の仮想ネットワーク要素（VNE）を形成する。
【００９７】
依然としてNFVの文脈において、仮想ネットワーク機能(VNF)は、ハードウェアネットワークインフラストラクチャ８３０上の１つまたは複数の仮想マシン８４０において実行され、図８のアプリケーション８２０に対応する特定のネットワーク機能の処理を受け持つ。
【００９８】
いくつかの実施形態では、それぞれが１つ以上の送信器８２２０および１つ以上の受信器８２１０を含む１つ以上の無線ユニット８２００は、１つ以上のアンテナ８２２５に接続されてもよい。無線ユニット８２００は、１つ以上の適切なネットワークインターフェースを介してハードウェアノード８３０と直接通信してもよく、無線アクセスノードまたは基地局などの無線機能を有する仮想ノードを提供するために、仮想コンポーネントと組み合わせて使用されてもよい。
【００９９】
いくつかの実施形態において、いくつかのシグナリングは、ハードウェアノード８３０と無線ユニット８２００との間の通信のために代替的に使用されてもよい制御システム８２３０を使用して実施することができる。
【０１００】
本明細書に開示される任意の適切なステップ、方法、特徴、機能、または利点は、１つまたは複数の仮想装置の１つまたは複数の機能ユニットまたはモジュールを通じて実行されてもよい。各仮想装置は、これらの機能ユニットを複数有してもよい。これらの機能ユニットは、１つ以上のマイクロプロセッサまたはマイクロコントローラを含みうる処理回路に加え、デジタル信号プロセッサ（DSP）、特殊目的デジタルロジックなどを含みうる他のデジタルハードウェアを用いて実装されうる。処理回路は、リードオンリーメモリ（ROM）、ランダムアクセスメモリ（RAM）、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実装では、処理回路は、本開示の１つ以上の実施形態に従って、それぞれの機能ユニットに対応する機能を実行させるために使用されうる。
【０１０１】
図９は、特定の実施形態に従った第１の方法、具体的には、意図された際に、ユーザ装置（UE）のユニバーサル加入者識別モジュール（USIM）部で加入隠蔽識別子（SUCI）が計算されることを確実にするための、ネットワークノードの動作方法を示している。この方法は、UEと直接または間接的に通信している任意のネットワークノードで実行されうる。方法は、ステップ９０２、すなわち、SUCI計算インジケータがUSIMでSUCIを計算すべきであることを示す値に設定されている場合に、UEのモバイル装置(ME)部に未知で、SUCIの計算に必要な独自情報を設定することを有する。
【０１０２】
独自情報は、独自暗号化方式の識別子とSUCI計算暗号化方式との関係を有することができる。その場合、SUCI計算の暗号化方式は標準化されていてもよい。
【０１０３】
独自情報は独自暗号化方式を含んでもよい。
【０１０４】
方法は、SUCI計算インジケータがMEでSUCIを計算すべきであることを示す値から、USIMでSUCIを計算すべきであることを示す値に変更された場合に、ホームネットワークHNの既存の公開鍵を変更することをさらに有してもよい。SUCI計算インジケータがMEでSUCIを計算すべきであることを示す値からUSIMで計算すべきであることを示す値に変更された場合、HNの公開鍵の識別子を変更してもよい。
【０１０５】
図１０は、無線ネットワーク（例えば、図６に示す無線ネットワーク）における装置１０００の模式的なブロック図である。装置は、ネットワークノード（例えば、図６に示すネットワークノード６６０）に実装されてもよい。装置１０００は、図９に関して説明した例示的な方法および、場合によっては本明細書に開示された他のプロセスまたは方法を実行するために動作可能である。なお、図９の方法は、必ずしも装置１０００のみで実施されなくてもよいことを理解すべきである。方法の少なくとも一部の動作は、１つ以上の他のエンティティによって実行され得る。
【０１０６】
仮想装置１０００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、設定部１００２および装置１０００の任意の他の適切なユニットを、本開示の１つ以上の実施形態に従って対応する機能を実行させるために用いられうる。
【０１０７】
図１０に示すように、装置１０００はネットワークノードを構成し、SUCI計算インジケータがUSIMでSUCIを計算すべきであることを示す値に設定されている場合に、UEのモバイル装置(ME)部には未知で、SUCIの計算に必要な独自情報を設定するための設定部１００２を含む。
【０１０８】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１０９】
図１１は、特定の実施形態に従った第２の方法、具体的には、意図された際に、ユーザ装置（UE）のユニバーサル加入者識別モジュール（USIM）部で加入隠蔽識別子（SUCI）が計算されることを確実にするための、ネットワークノードの動作方法を示している。この方法は、UEと直接または間接的に通信している任意のネットワークノードで実行されうる。方法は、ステップ１１０２、すなわち、SUCI計算インジケータが、UEのモバイル装置(ME)部でSUCIを計算すべきであることを示す値から、USIMでSUCIを計算すべきであることを示す値に変更された場合に、ホームネットワーク(HN)の既存の公開鍵を変更することを有する。
【０１１０】
方法は、SUCI計算インジケータが、MEでSUCIを計算すべきであることを示す値からUSIMでSUCIを計算すべきであることを示す値に変更された場合に、HNの公開鍵の識別子を変更することをさらに有してもよい。
【０１１１】
図１２は、無線ネットワーク（例えば、図６に示す無線ネットワーク）における装置１２００の模式的なブロック図である。装置は、ネットワークノード（例えば、図６に示すネットワークノード６６０）に実装されてもよい。装置１２００は、図１１に関して説明した例示的な方法および、場合によっては本明細書に開示された他のプロセスまたは方法を実行するために動作可能である。なお、図１１の方法は、必ずしも装置１２００のみで実施されなくてもよいことを理解すべきである。方法の少なくとも一部の動作は、１つ以上の他のエンティティによって実行され得る。
【０１１２】
仮想装置１２００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、変更部１２０２および装置１２００の任意の他の適切なユニットを、本開示の１つ以上の実施形態に従って対応する機能を実行させるために用いられうる。
【０１１３】
図１２に示すように、装置１２００は、SUCI計算インジケータが、UEのモバイル装置(ME)部でSUCIを計算すべきであることを示す値から、USIMでSUCIを計算すべきであることを示す値に変更された場合に、ホームネットワーク(HN)の既存の公開鍵を変更するための変更部１２０２を含む。
【０１１４】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１１５】
図１３は、特定の実施形態に従った第３の方法を示しており、ステップ１３０２、すなわち、SUCI計算インジケータがMEでSUCIを計算すべきであることを示す値に設定されている場合にのみ、UEのモバイル装置(ME)部でのSUCIの計算を容易にすることを有する。
【０１１６】
このように、方法は、SUCI計算インジケータがMEでSUCIを計算すべきであることを示す値に設定されている場合にのみ、SUCIの計算に必要な情報をMEに提供することを有してもよい。より具体的には、方法は、MEからのSUCIの計算に必要な情報の要求に応答して、当該情報をMEに提供することを有しうる。方法は、MEからの上記要求に応答して、SUCI計算インジケータの上記値をMEに返すことをさらに有してもよい。
【０１１７】
図５に関して上述したように、方法は、SUCI計算インジケータがMEでSUCIを計算すべきであることを示す値に設定されている場合、MEからのSUCIの要求に応答して、当該要求を拒否することを有してもよい。さらに、方法は、MEからのSUCIの要求に応答して、SUCIの計算に必要な情報をMEに返すことをさらに有してもよい。さらに、方法は、MEからのSUCIの要求に応答して、SUCI計算インジケータの上記値をMEに返すことをさらに有してもよい。
【０１１８】
SUCIの計算に必要な情報は、ホームネットワーク(HN)の公開鍵を含んでもよく、またはSUCIの計算に用いるべき暗号化方式を特定する情報を含んでもよい。
【０１１９】
図２に関して上述したように、方法は、SUCI計算インジケータがUSIMでSUCIを計算すべきであることを示す値に設定されている場合、MEからのSUCIの計算に必要な情報の要求に応答して、MEからのSUCIの計算に必要な情報の当該要求を拒否することを有してもよい。さらに、方法は、SUCI計算インジケータがUSIMでSUCIを計算すべきであることを示す値に設定されている場合、MEからのSUCIの計算に必要な情報の要求に応答して、SUCI計算インジケータの値をMEに提供することをさらに有してもよい。さらに、方法は、SUCI計算インジケータがUSIMでSUCIを計算すべきであることを示す値に設定されている場合、MEからのSUCIの要求に応答して、SUCIを計算することと、SUCIをMEに提供することをさらに有してもよい。さらに、方法は、MEからの上記要求に応答して、SUCI計算インジケータの上記値をMEに返すことをさらに有してもよい。
【０１２０】
図１３の方法は、SUCI計算インジケータの値が変化した場合にMEに通知することをさらに有してもよい。
【０１２１】
図１４は、無線ネットワーク（例えば、図６に示す無線ネットワーク）における装置１４００の模式的なブロック図である。装置は、無線機器（例えば、図６に示す無線機器６１０）に実装されてもよい。装置１４００は、図１３に関して説明した例示的な方法および、場合によっては本明細書に開示された他のプロセスまたは方法を実行するために動作可能である。なお、図１３の方法は、必ずしも装置１４００のみで実施されなくてもよいことを理解すべきである。方法の少なくとも一部の動作は、１つ以上の他のエンティティによって実行され得る。
【０１２２】
仮想装置１４００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、容易化部１４０２および装置１４００の任意の他の適切なユニットを、本開示の１つ以上の実施形態に従って対応する機能を実行させるために用いられうる。
【０１２３】
図１４に示すように、装置１４００は、SUCI計算インジケータがMEでSUCIを計算すべきであることを示す値に設定されている場合にのみ、UEのモバイル装置(ME)部でのSUCIの計算を容易にするための容易化部１４０２を含む。
【０１２４】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１２５】
図１５は、特定の実施形態に従った第４の方法、すなわち、意図された際に、USIMで加入隠蔽識別子(SUCI)が計算されることを確実にするための、ユーザ装置(UE)のユニバーサル加入者識別モジュール(USIM)部の動作方法を示しており、方法は、ステップ１５０２、すなわち、SUCI計算インジケータが、USIMでSCUIを計算すべきであることを示す値に設定されている場合に、ネットワークノードから、UEのモバイル装置(ME)部に未知であり、SUCIの計算に必要な独自情報を受信することを有する。
【０１２６】
独自情報は、独自暗号化方式の識別子とSUCI計算暗号化方式との関係を含んでよく、その場合、SUCI計算暗号化方式は標準化されていてもよい。独自情報は独自暗号化方式を含んでもよい。
【０１２７】
方法は、SUCI計算インジケータが、MEでSUCIを計算すべきであることを示す値から、USIMでSUCIを計算すべきであることを示す値に変更された場合に、ホームネットワーク(HN)から、HNの変更された公開鍵の通知を受信することをさらに有してもよい。その場合、方法は、SUCI計算インジケータが、MEでSUCIを計算すべきであることを示す値から、USIMでSUCIを計算すべきであることを示す値に変更された場合に、HNから、HNの公開鍵の変更された識別子の通知を受信することをさらに有してもよい。
【０１２８】
図１６は、無線ネットワーク（例えば、図６に示す無線ネットワーク）における装置１６００の模式的なブロック図である。装置は、無線機器（例えば、図６に示す無線機器６１０）に実装されてもよい。装置１６００は、図１５に関して説明した例示的な方法および、場合によっては本明細書に開示された他のプロセスまたは方法を実行するために動作可能である。なお、図１５の方法は、必ずしも装置１６００のみで実施されなくてもよいことを理解すべきである。方法の少なくとも一部の動作は、１つ以上の他のエンティティによって実行され得る。
【０１２９】
仮想装置１６００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、受信部１６０２および装置１６００の任意の他の適切なユニットを、本開示の１つ以上の実施形態に従って対応する機能を実行させるために用いられうる。
【０１３０】
図１６に示すように、装置１６００は、SUCI計算インジケータがUSIMでSUCIを計算すべきであることを示す値に設定されている場合に、UEのモバイル装置(ME)部に未知の、SUCIを計算するために必要な独自情報を、ネットワークノードから受信するための受信部１６０２を含む。
【０１３１】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１３２】
図１７は、特定の実施形態に従った第５の方法、すなわち、ユーザ装置(UE)のユニバーサル加入者識別モジュール(UCIM)部の動作方法であって、意図された際に、加入隠蔽識別子(SUCI)がUSIMで計算されることを確実にするための方法を示しており、方法は、ステップVV１７０２、すなわち、SUCI計算インジケータが、USIMでSUCIを計算すべきであることを示す値から、MEでSUCIを計算すべきであることを示す値に変更された場合に、ホームネットワーク(HN)から、HNの変更された公開鍵の通知を受信することを有する。
【０１３３】
方法は、SUCI計算インジケータが、MEでSUCIを計算すべきであることを示す値から、USIMでSUCIを計算すべきであることを示す値に変更された場合に、HNから、HNの公開鍵の変更された識別子の通知を受信することをさらに有してもよい。
【０１３４】
図１８は、無線ネットワーク（例えば、図６に示す無線ネットワーク）における装置１８００の模式的なブロック図である。装置は、無線機器（例えば、図６に示す無線機器６１０）に実装されてもよい。装置１８００は、図１７に関して説明した例示的な方法および、場合によっては本明細書に開示された他のプロセスまたは方法を実行するために動作可能である。なお、図１７の方法は、必ずしも装置１８００のみで実施されなくてもよいことを理解すべきである。方法の少なくとも一部の動作は、１つ以上の他のエンティティによって実行され得る。
【０１３５】
仮想装置１８００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、受信部１８０２および装置１８００の任意の他の適切なユニットを、本開示の１つ以上の実施形態に従って対応する機能を実行させるために用いられうる。
【０１３６】
図１８に示すように、装置１８００は、SUCI計算インジケータが、MEでSUCIを計算すべきであることを示す値から、USIMでSUCIを計算すべきであることを示す値に変更された場合に、ホームネットワーク(HN)から、HNの変更された公開鍵の通知を受信するための受信部１８０２を含む。
【０１３７】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１３８】
図１９は、特定の実施形態に従った第６の方法、すなわち、意図された際に、ユーザ装置(UE)のユニバーサル加入者識別モジュール(USIM)部で加入隠蔽識別子(SUCI)が計算されることを確実にするための、UEのモバイル装置(ME)部の動作方法を示しており、方法は、ステップ１９０２、すなわち、SUCI計算インジケータが、USIMでSCUIを計算すべきであることを示す値に設定されている場合に、ローカル保存されている、SUCIの計算に必要な情報を削除することを有する。
【０１３９】
方法は、SUCI計算インジケータの値をチェックすることと、SUCI計算インジケータがMEでSUCIを計算すべきであることを示す値に設定されている場合にのみ、SUCIを計算することとをさらに有してもよい。
【０１４０】
SUCIの計算に必要な情報は、ホームネットワーク(HN)の公開鍵を含んでもよく、またはSUCIの計算に用いるべき暗号化方式を特定する情報を含んでもよい。
【０１４１】
図２０は、無線ネットワーク（例えば、図６に示す無線ネットワーク）における装置２０００の模式的なブロック図である。装置は、無線機器（例えば、図６に示す無線機器６１０）に実装されてもよい。装置２０００は、図１９に関して説明した例示的な方法および、場合によっては本明細書に開示された他のプロセスまたは方法を実行するために動作可能である。なお、図１９の方法は、必ずしも装置２０００のみで実施されなくてもよいことを理解すべきである。方法の少なくとも一部の動作は、１つ以上の他のエンティティによって実行され得る。
【０１４２】
仮想装置２０００は、１つ以上のマイクロプロセッサまたはマイクロコントローラを含みうる処理回路に加え、デジタル信号プロセッサ（DSP）、特殊目的デジタルロジックなどを含みうる他のデジタルハードウェアを有することができる。処理回路は、リードオンリーメモリ（ROM）、ランダムアクセスメモリ、キャッシュメモリ、フラッシュメモリデバイス、光ストレージデバイスなどの１つまたは複数のタイプのメモリを含みうるメモリに記憶されたプログラムコードを実行するように構成されてもよい。メモリに記憶されたプログラムコードは、本明細書に記載された技術のうちの１つまたは複数を実行するための命令のみならず、１つまたは複数の電気通信プロトコルおよび／またはデータ通信プロトコルを実行するためのプログラム命令を含む。いくつかの実施形態において、処理回路は、削除部WW６２および装置WW６０の任意の他の適切なユニットを、本開示の１つ以上の実施形態に従って対応する機能を実行させるために用いられうる。
【０１４３】
図２０に示すように、装置２０００は、SUCI計算インジケータがUSIMでSUCIを計算すべきであることを示す値に設定されている場合に、ローカル保存されている、SUCIの計算に必要な情報を削除するための削除部２００２を含む。
【０１４４】
用語「部／ユニット」は、エレクトロニクス、電気デバイスおよび／または電子デバイスの分野において慣例的な意味を有することができ、例えば、本明細書に記載されているようなぞれぞれのタスク、手順、計算、出力、および／または表示機能を実行するための、電気および／または電子回路、デバイス、モジュール、プロセッサ、メモリ、論理半導体および／またはディスクリートデバイス、コンピュータプログラムまたは命令などを含みうる。
【０１４５】
略語
本開示では、以下の略語の少なくとも一部が使用されうる。略語の間に矛盾がある場合は、その略語が上述の説明においてどのように用いられているかが優先される。複数回挙げられている場合は、最初の記載が優先される。
【０１４６】
1x RTT      CDMA2000 1x無線伝送技術
3GPP      第三世代パートナーシッププロジェクト
5G      第5世代
ABS      略空白サブフレーム
ARQ      自動再送要求
AWGN      加法白色ガウスノイズ
BCCH      ブロードキャスト制御チャネル
BCH      ブロードキャストチャネル
CA      キャリアアグリゲーション
CC      キャリアコンポーネント
CCCH SDU      共通制御チャネルSDU
CDMA      符号分割多元アクセス
CGI      セルグローバル識別子
CIR      チャネルインパルス応答
CP      サイクリックプリフィックス
【０１４７】
CPICH      共通パイロットチャネル
CPICH Ec/No      チップあたりのCPICH受信エネルギーをバンド内の電力密度で除したもの
CQI      チャネル品質情報
C-RNTI      セルRNTI
CSI      チャネル状態情報
DCCH      独自制御チャンネル
DL      ダウンリンク
DM      復調
DMRS      復調基準信号
DRX      間欠受信
DTX      間欠送信
DTCH      独自トラフィックチャネル
DUT      被試験機器
E-CID      エンハンストセルID（測位方法）
E-SMLC      進化型サービスモバイルロケーションセンタ
【０１４８】
ECGI      進化型CGI
eNB      E-UTRANノードB
ePDCCH      拡張物理ダウンリンク制御チャネル
E-SMLC      進化型サービスモバイルロケーションセンタ
E-UTRA      進化型UTRA
E-UTRAN      進化型UTRAN
FDD      周波数分割多重
FFS      要検討事項
GERAN      GSM EDGE無線アクセスネットワーク
gNB      NRの基地局
GNSS      全地球航法衛星システム
GSM      移動体通信グローバルシステム
HARQ      ハイブリッド自動再送要求
HO      ハンドオーバ
【０１４９】
HSPA      高速パケットアクセス
HRPD      高速パケットデータ
LOS      見通し線
LPP      LTE測位プロトコル
LTE      ロングタームエヴォリューション
MAC       メディアアクセス制御
MBMS      マルチメディアブロードキャスト／マルチキャストサービス
MBSFN      マルチメディアブロードキャストマルチキャストサービス単周波ネットワーク
MBSFN ABS      MBSFN 略空白サブフレーム
MDT      ドライブテストの最小化
MIB      マスタ情報ブロック
MME      モビリティ管理エンティティ
MSC      移動交換センタ
NPDCCH      狭帯域物理ダウンリンク制御チャネル
NR      ニューラジオ
【０１５０】
OCNG      OFDMAチャネル雑音発生器
OFDM      直交周波数分割多重
OFDMA      直交周波数分割多元アクセス
OSS      運用支援システム
OTDOA      到着時刻の観測時間差
O&M      運用およびメンテナンス
PBCH      物理ブロードキャストチャンネル
P-CCPCH      プライマリ共通制御物理チャネル
PCell      プライマリセル
PCFICH      物理制御フォーマットインジケータチャネル
PDCCH      物理ダウンリンク制御チャネル
PDP      電力遅延プロファイル
PDSCH      物理ダウンリンク共有チャネル
PGW      パケットゲートウェイ
【０１５１】
PHICH      物理ハイブリッドARQインジケータチャネル
PLMN      公共地上移動体通信網
PMI      プリコーダマトリックスインジケータ
PRACH      物理的ランダムアクセスチャネル
PRS      測位基準信号
PSS      プライマリ同期信号
PUCCH      物理アップリンク制御チャネル
PUSCH      物理アップリンク共有チャネル
RACH      ランダムアクセスチャネル
QAM      直交振幅変調
RAN      無線アクセスネットワーク
RAT      無線アクセス技術
RLM      無線リンク管理
RNC      無線ネットワークコントローラ
【０１５２】
RNTI      無線ネットワーク一時識別子
RRC      無線リソース制御
RRM      無線リソース管理
RS      基準信号
RSCP      受信信号コード電力
RSRP      基準シンボル受信電力、または基準信号受信電力
RSRQ      基準信号受信品質、または基準シンボル受信品質
RSSI      受信信号強度インジケータ
RSTD      基準信号時間差
SCH      同期チャンネル
SCell      セカンダリセル
SDU      サービスデータユニット
SFN      システムフレーム番号
SGW      サービングゲートウェイ
SI      システム情報
【０１５３】
SIB      システム情報ブロック
SNR      信号対雑音比
SON      自己最適化ネットワーク
SS      同期信号
SSS      セカンダリ同期信号
TDD      時分割多重
TDOA      到着時間差
TOA      到着時間
TSS      ターナリ同期信号
TTI      送信時間間隔
UE      ユーザ装置
UL      アップリンク
UMTS      ユニバーサルモバイル通信システム
USIM      ユニバーサル加入者IDモジュール
UTDOA      アップリンク到着時間差
UTRA      ユニバーサル地上無線アクセス
UTRAN      ユニバーサル陸上無線アクセスネットワーク
WCDMA      ワイドCDMA
WLAN      広域ローカルエリアネットワーク
【図１】
2021520079.tif 000003
【図２】
2021520079.tif 000004
【図３】
2021520079.tif 000005
【図４】
2021520079.tif 000006
【図５】
2021520079.tif 000007
【図６】
2021520079.tif 000008
【図７】
2021520079.tif 000009
【図８】
2021520079.tif 000010
【図９】
2021520079.tif 000011
【図１０】
2021520079.tif 000012
【図１１】
2021520079.tif 000013
【図１２】
2021520079.tif 000014
【図１３】
2021520079.tif 000015
【図１４】
2021520079.tif 000016
【図１５】
2021520079.tif 000017
【図１６】
2021520079.tif 000018
【図１７】
2021520079.tif 000019
【図１８】
2021520079.tif 000020
【図１９】
2021520079.tif 000021
【図２０】
2021520079.tif 000022
【国際調査報告】
2021520079.tif 000023
2021520079.tif 000024